(57)【特許請求の範囲】
【請求項１】
装置であって：
制限アクセスウィンドウ（ＲＡＷ）のパラメータセット要素（ＲＰＳ要素）のＲＡＷグループフィールドにアクセスする回路であって、該フィールドは、
ページインデックス、ＲＡＷ開始関連付け識別子（ＡＩＤ）及びＲＡＷ終了ＡＩＤを備え、ここで、
前記ページインデックス、前記ＲＡＷ開始ＡＩＤ及び前記ＲＡＷ終了ＡＩＤが、集合的に、ＲＡＷの間に媒体へアクセスすることを許可される１つ又は複数の局のグループを識別し、
前記ページインデックスが、前記１つ又は複数の局の前記グループのページインデックスを識別し、
前記ＲＡＷ開始ＡＩＤが、前記１つ又は複数の局の前記グループ内の第１の局のＡＩＤの１１個の最下位ビット（ＬＳＢ）を備え、
前記ＲＡＷ終了ＡＩＤが、前記１つ又は複数の局の前記グループ内の第２の局のＡＩＤの１１個のＬＳＢを備える、
前記ＲＡＷグループフィールドにアクセスする回路と；
前記ページインデックスと、前記ＲＡＷ開始ＡＩＤと、前記ＲＡＷ終了ＡＩＤとに少なくとも部分的に基づいて、前記媒体へアクセスするかどうかを決定する回路と；
を備える、装置。
【請求項２】
前記ページインデックスのフィールドは、２ビットを備え、該２ビットは、前記第１及び第２の局のＡＩＤの２つの最上位ビット（ＭＳＢ）である、
請求項１に記載の装置。
【請求項３】
少なくとも１つのトラフィック指示マッピング（ＴＩＭ）ビットマップを格納する回路を更に備え、該ビットマップの各ビットは、局がアクセスポイントにおいてデータをバッファしているかどうかを示し、前記ＴＩＭビットマップは、前記ＲＰＳ要素のフレームと同じフレームの一部である、
請求項１に記載の装置。
【請求項４】
少なくともターゲットビーコン伝送時間の間に、低電力モードからの起動を生じさせて、前記ＲＰＳ要素を備えるビーコンを受信する回路
を更に備える、請求項１に記載の装置。
【請求項５】
ＡＩＤが、前記ページインデックスと、前記ＲＡＷ開始ＡＩＤと、前記ＲＡＷ終了ＡＩＤとの組合せによって指定される範囲内であるかどうかを判断する回路と、
前記ＡＩＤが前記範囲内でない場合、前記ＲＰＳ要素を含むフレームのデコードを選択的に終了する回路と、
を更に備える、請求項１乃至４のいずれか１項に記載の装置。
【請求項６】
局のＡＩＤが前記ページインデックスに対応するページ上であるかどうかを判断する回路と、
前記局のＡＩＤが前記ページインデックスに対応するページ上でないことに応答して、ビーコンのデコードを終了する回路と、
前記局のＡＩＤが前記ページインデックスに対応するページ上であることに応答して、前記ＲＡＷ開始ＡＩＤと前記ＲＡＷ終了ＡＩＤをデコードする回路と、
前記局のＡＩＤがＲＡＷに関連付けられるＡＩＤの範囲内であるかどうかを、前記ＲＡＷ開始ＡＩＤと前記ＲＡＷ終了ＡＩＤに少なくとも部分的に基づいて判断する回路と、
前記局のＡＩＤが前記ＲＡＷに関連付けられる前記ＡＩＤの範囲内でないことに応答して、前記ビーコンのデコードを終了する回路と、
前記局のＡＩＤがＲＡＷに関連付けられるＡＩＤの範囲内であることに応答して、媒体にアクセスするスロットを決定する回路と、
を更に備える、請求項１乃至４のいずれか１項に記載の装置。
【請求項７】
局のＡＩＤが、前記ページインデックスと前記ＲＡＷ開始ＡＩＤとの組合せ及び前記ページインデックスと前記ＲＡＷ終了ＡＩＤとの組合せによって指定された範囲内であるかどうかを判断する回路と、
前記局のスロット割当てを決定する回路と、
前記スロット割当ての間に、前記媒体にアクセスする回路と、
を更に備える、請求項１乃至４のいずれか１項に記載の装置。
【請求項８】
前記の回路のうちの１つ又は複数が、ＭＡＣサブレイヤ回路の一部である、
請求項１乃至４のいずれか１項に記載の装置。
【請求項９】
物理レイヤ回路と、
前記物理レイヤ回路に通信可能に結合される無線機と、
前記無線機に通信可能に結合される少なくとも１つのアンテナと、
を更に備える、請求項１乃至４のいずれか１項に記載の装置。
【請求項１０】
前記無線機に通信可能に結合される少なくとも１つのプロセッサと、
前記少なくとも１つのプロセッサに通信可能に結合される少なくとも１つのメモリと、
を更に備える、請求項９に記載の装置。
【請求項１１】
１つ又は複数のプロセッサによって実行されると、該１つ又は複数のプロセッサに、
制限アクセスウィンドウ（ＲＡＷ）のパラメータセット要素（ＲＰＳ要素）のＲＡＷグループフィールドにアクセスするステップであって、該フィールドは、
ページインデックス、ＲＡＷ開始関連付け識別子（ＡＩＤ）及びＲＡＷ終了ＡＩＤを備え、ここで、
前記ページインデックス、前記ＲＡＷ開始ＡＩＤ及び前記ＲＡＷ終了ＡＩＤが、集合的に、ＲＡＷの間に媒体へアクセスすることを許可される１つ又は複数の局のグループを識別し、
前記ページインデックスが、前記１つ又は複数の局の前記グループのページインデックスを識別し、
前記ＲＡＷ開始ＡＩＤが、前記１つ又は複数の局の前記グループ内の第１の局のＡＩＤの１１個の最下位ビット（ＬＳＢ）を備え、
前記ＲＡＷ終了ＡＩＤは、前記１つ又は複数の局の前記グループ内の第２の局のＡＩＤの１１個のＬＳＢを備える、
前記ＲＡＷグループフィールドにアクセスするステップと；
前記ページインデックスと、前記ＲＡＷ開始ＡＩＤと、前記ＲＡＷ終了ＡＩＤとに少なくとも部分的に基づいて、前記媒体へアクセスするかどうかを決定するステップと；
を実行させる、コンピュータプログラム。
【請求項１２】
前記ページインデックスのフィールドは、２ビットを備え、該２ビットは、前記第１及び第２の局のＡＩＤの２つの最上位ビット（ＭＳＢ）である、
請求項１１に記載のコンピュータプログラム。
【請求項１３】
前記１つ又は複数のプロセッサに、
少なくとも１つのトラフィック指示マッピング（ＴＩＭ）ビットマップを格納するステップ
を更に実行させ、該ビットマップの各ビットは、局がアクセスポイントにおけるデータをバッファしているかどうかを示し、前記ＴＩＭビットマップは、前記ＲＰＳ要素のフレームと同じフレームの一部である、請求項１１に記載のコンピュータプログラム。
【請求項１４】
前記１つ又は複数のプロセッサに、
少なくともターゲットビーコン伝送時間の間に、低電力モードからの起動を生じさせて、前記ＲＰＳ要素を備えるビーコンを受信するステップ
を更に実行させる、請求項１１に記載のコンピュータプログラム。
【請求項１５】
前記１つ又は複数のプロセッサに、
ＡＩＤが、前記ページインデックスと、前記ＲＡＷ開始ＡＩＤと、前記ＲＡＷ終了ＡＩＤとの組合せによって指定された範囲内であるかどうかを判断するステップと、
前記ＡＩＤが前記範囲内でない場合、前記ＲＰＳ要素を含むフレームのデコードを選択的に終了するステップと
を更に実行させる、請求項１１乃至１４のいずれか１項に記載のコンピュータプログラム。
【請求項１６】
前記１つ又は複数のプロセッサに、
局のＡＩＤが前記ページインデックスに対応するページ上であるかどうかを判断させ、
前記局のＡＩＤが前記ページインデックスに対応するページ上でないことに応答して、ビーコンのデコードを終了するステップと、
前記局のＡＩＤが前記ページインデックスに対応するページ上であることに応答して、前記ＲＡＷ開始ＡＩＤと前記ＲＡＷ終了ＡＩＤをデコードするステップと、
前記局のＡＩＤがＲＡＷに関連付けられるＡＩＤの範囲内であるかどうかを、前記ＲＡＷ開始ＡＩＤと前記ＲＡＷ終了ＡＩＤに少なくとも部分的に基づいて判断するステップと、
前記局のＡＩＤが前記ＲＡＷに関連付けられる前記ＡＩＤの範囲内でないことに応答して、前記ビーコンのデコードを終了するステップと、
前記局のＡＩＤがＲＡＷに関連付けられるＡＩＤの範囲内であることに応答して、媒体にアクセスするスロットを決定するステップと
を更に実行させる、請求項１１乃至１４のいずれか１項に記載のコンピュータプログラム。
【請求項１７】
前記１つ又は複数のプロセッサに、
局のＡＩＤが、前記ページインデックスと前記ＲＡＷ開始ＡＩＤとの組合せ及び前記ページインデックスと前記ＲＡＷ終了ＡＩＤとの組合せによって指定された範囲内であるかどうかを判断するステップと、
前記局のスロット割当てを決定するステップと、
前記スロット割当ての間に、前記媒体にアクセスするステップと
を更に実行させる、請求項１１乃至１４のいずれか１項に記載のコンピュータプログラム。
【請求項１８】
コンピュータで実施される方法であって、
制限アクセスウィンドウ（ＲＡＷ）のパラメータセット要素（ＲＰＳ要素）のＲＡＷグループフィールドにアクセスするステップであって、該フィールドは、
ページインデックス、ＲＡＷ開始関連付け識別子（ＡＩＤ）及びＲＡＷ終了ＡＩＤを備え、ここで、
前記ページインデックス、前記ＲＡＷ開始ＡＩＤ及び前記ＲＡＷ終了ＡＩＤが、集合的に、ＲＡＷの間に媒体へアクセスすることを許可される１つ又は複数の局のグループを識別し、
前記ページインデックスが、前記１つ又は複数の局の前記グループのページインデックスを識別し；
前記ＲＡＷ開始ＡＩＤが、前記１つ又は複数の局の前記グループ内の第１の局のＡＩＤの１１個の最下位ビット（ＬＳＢ）を備え、
前記ＲＡＷ終了ＡＩＤが、前記１つ又は複数の局の前記グループ内の第２の局のＡＩＤの１１個のＬＳＢを備える、
前記ＲＡＷグループフィールドにアクセスするステップと；
前記ページインデックスと、前記ＲＡＷ開始ＡＩＤと、前記ＲＡＷ終了ＡＩＤとに少なくとも部分的に基づいて、前記媒体へアクセスするかどうかを決定するステップと；
を含む、方法。
【請求項１９】
前記ページインデックスのフィールドは、２ビットを備え、該２ビットは、前記第１及び第２の局のＡＩＤの２つの最上位ビット（ＭＳＢ）である、
請求項１８に記載の方法。
【請求項２０】
少なくとも１つのトラフィック指示マッピング（ＴＩＭ）ビットマップを格納するステップを更に含み、該ビットマップの各ビットは、局がアクセスポイントにおけるデータをバッファしているかどうかを示し、前記ＴＩＭビットマップは、前記ＲＰＳ要素のフレームと同じフレームの一部である、
請求項１８に記載の方法。
【請求項２１】
少なくともターゲットビーコン伝送時間の間に、低電力モードからの起動を生じさせて、前記ＲＰＳ要素を備えるビーコンを受信するステップ
を更に含む、請求項１８に記載の方法。
【請求項２２】
ＡＩＤが、前記ページインデックスと、前記ＲＡＷ開始ＡＩＤと、前記ＲＡＷ終了ＡＩＤとの組合せによって指定された範囲内であるかどうかを判断するステップと、
前記ＡＩＤが前記範囲内でない場合、前記ＲＰＳ要素を含むフレームのデコードを選択的に終了するステップと、
を更に含む、請求項１８乃至２１のいずれか１項に記載の方法。
【請求項２３】
局のＡＩＤが前記ページインデックスに対応するページ上であるかどうかを判断するステップと、
前記局のＡＩＤが前記ページインデックスに対応するページ上でないことに応答して、ビーコンのデコードを終了するステップと、
前記局のＡＩＤが前記ページインデックスに対応するページ上であることに応答して、前記ＲＡＷ開始ＡＩＤと前記ＲＡＷ終了ＡＩＤをデコードするステップと、
前記局のＡＩＤがＲＡＷに関連付けられるＡＩＤの範囲内であるかどうかを、前記ＲＡＷ開始ＡＩＤと前記ＲＡＷ終了ＡＩＤに少なくとも部分的に基づいて判断するステップと、
前記局のＡＩＤが前記ＲＡＷに関連付けられる前記ＡＩＤの範囲内でないことに応答して、前記ビーコンのデコードを終了するステップと、
前記局のＡＩＤがＲＡＷに関連付けられるＡＩＤの範囲内であることに応答して、媒体にアクセスするスロットを決定するステップと、
を更に含む、請求項１８乃至２１のいずれか１項に記載の方法。
【請求項２４】
局のＡＩＤが、前記ページインデックスと前記ＲＡＷ開始ＡＩＤとの組合せ及び前記ページインデックスと前記ＲＡＷ終了ＡＩＤとの組合せによって指定された範囲内であるかどうかを判断するステップと、
前記局のスロット割当てを決定するステップと、
前記スロット割当ての間に、前記媒体にアクセスするステップと、
を更に含む、請求項１８乃至２１のいずれか１項に記載の方法。
【請求項２５】
装置であって：
制限アクセスウィンドウ（ＲＡＷ）のパラメータセット情報要素（ＲＰＳ要素）のＲＡＷグループフィールドを形成する回路を備え、該フィールドは、
ページインデックス、ＲＡＷ開始関連付け識別子（ＡＩＤ）及びＲＡＷ終了ＡＩＤを備え、ここで、
前記ページインデックス、前記ＲＡＷ開始ＡＩＤ及び前記ＲＡＷ終了ＡＩＤが、集合的に、ＲＡＷの間に媒体へアクセスすることを許可される１つ又は複数の局のグループを識別し、
前記ページインデックスが、前記１つ又は複数の局の前記グループのページインデックスを識別し、
前記ＲＡＷ開始ＡＩＤが、前記１つ又は複数の局の前記グループ内の第１の局のＡＩＤの１１個の最下位ビット（ＬＳＢ）を備え、
前記ＲＡＷ終了ＡＩＤが、前記１つ又は複数の局の前記グループ内の第２の局のＡＩＤの１１個のＬＳＢを備える、
装置。
【請求項２６】
前記ページインデックスのフィールドは、２ビットを備え、該２ビットは、前記第１及び第２の局のＡＩＤの２つの最上位ビット（ＭＳＢ）である、
請求項２５に記載の装置。
【請求項２７】
前記ＲＰＳ要素をビーコンフレームの一部として伝送する回路
を更に備える、請求項２５に記載の装置。
【請求項２８】
トラフィック指示マッピング（ＴＩＭ）情報要素（ＩＥ）を、前記ＲＰＳ要素と同じフレーム内で伝送する回路を更に備え、前記ＴＩＭ  ＩＥはＴＩＭビットマップを備え、該ビットマップの各ビットは、局がアクセスポイントにおけるデータをバッファしているかどうかを示す、
請求項２５に記載の装置。
【請求項２９】
前記ＲＰＳ要素は、ＲＡＷ開始時間及びＲＡＷ期間も識別する、請求項２５に記載の装置。
【請求項３０】
物理レイヤ回路と、
前記物理レイヤ回路に通信可能に結合される無線機と、
前記無線機に通信可能に結合される少なくとも１つのアンテナと、
前記無線機に通信可能に結合される少なくとも１つのプロセッサと、
前記少なくとも１つのプロセッサに通信可能に結合される少なくとも１つのメモリと、
を更に備える、請求項２５乃至２９のいずれか１項に記載の装置。
【請求項３１】
前記回路は、ＭＡＣサブレイヤプロセッサである、
請求項２５乃至２９のいずれか１項に記載の装置。
【請求項３２】
１つ又は複数のプロセッサによって実行されると、該１つ又は複数のプロセッサに、
制限アクセスウィンドウ（ＲＡＷ）のパラメータセット情報要素（ＲＰＳ要素）のＲＡＷグループフィールドを形成させ、該フィールドは、
ページインデックス、ＲＡＷ開始関連付け識別子（ＡＩＤ）及びＲＡＷ終了ＡＩＤを備え、ここで、
前記ページインデックス、前記ＲＡＷ開始ＡＩＤ及び前記ＲＡＷ終了ＡＩＤが、集合的に、ＲＡＷの間に媒体へアクセスすることを許可される１つ又は複数の局のグループを識別し、
前記ページインデックスが、前記１つ又は複数の局の前記グループのページインデックスを識別し、
前記ＲＡＷ開始ＡＩＤが、前記１つ又は複数の局の前記グループ内の第１の局のＡＩＤの１１個の最下位ビット（ＬＳＢ）を備え、
前記ＲＡＷ終了ＡＩＤは、前記１つ又は複数の局の前記グループ内の第２の局のＡＩＤの１１個のＬＳＢを備える、
コンピュータプログラム。
【請求項３３】
前記ページインデックスのフィールドは、２ビットを備え、該２ビットは、前記第１及び第２の局のＡＩＤの２つの最上位ビット（ＭＳＢ）である、
請求項３２に記載のコンピュータプログラム。
【請求項３４】
前記１つ又は複数のプロセッサに、
前記ＲＰＳ要素をビーコンフレームの一部として伝送するステップ
を更に実行させる、請求項３２又は３３に記載のコンピュータプログラム。
【請求項３５】
前記１つ又は複数のプロセッサに、
トラフィック指示マッピング（ＴＩＭ）情報要素（ＩＥ）を、前記ＲＰＳ要素と同じフレーム内で伝送するステップ
を更に実行させ、前記ＴＩＭ  ＩＥはＴＩＭビットマップを備え、該ビットマップの各ビットは、局がアクセスポイントにおけるデータをバッファしているかどうかを示す、
請求項３２又は３３に記載のコンピュータプログラム。
【請求項３６】
コンピュータで実施される方法であって、
制限アクセスウィンドウ（ＲＡＷ）のパラメータセット情報要素（ＲＰＳ要素）のＲＡＷグループフィールドを形成するステップ
を含み、該フィールドは、
ページインデックス、ＲＡＷ開始関連付け識別子（ＡＩＤ）及びＲＡＷ終了ＡＩＤを備え、ここで、
前記ページインデックス、前記ＲＡＷ開始ＡＩＤ及び前記ＲＡＷ終了ＡＩＤが、集合的に、ＲＡＷの間に媒体へアクセスすることを許可される１つ又は複数の局のグループを識別し、
前記ページインデックスが、前記１つ又は複数の局の前記グループのページインデックスを識別し；
前記ＲＡＷ開始ＡＩＤが、前記１つ又は複数の局の前記グループ内の第１の局のＡＩＤの１１個の最下位ビット（ＬＳＢ）を備え、
前記ＲＡＷ終了ＡＩＤが、前記１つ又は複数の局の前記グループ内の第２の局のＡＩＤの１１個のＬＳＢを備える、
方法。
【請求項３７】
前記ページインデックスのフィールドは、２ビットを備え、該２ビットは、前記第１及び第２の局のＡＩＤの２つの最上位ビット（ＭＳＢ）である、
請求項３６に記載の方法。
【請求項３８】
前記ＲＰＳ要素をビーコンフレームの一部として伝送するステップ
を更に含む、請求項３６又は３７に記載の方法。
【請求項３９】
トラフィック指示マッピング（ＴＩＭ）情報要素（ＩＥ）を、前記ＲＰＳ要素と同じフレーム内で伝送するステップを更に含み、前記ＴＩＭ  ＩＥはＴＩＭビットマップを備え、該ビットマップの各ビットは、局がアクセスポイントにおけるデータをバッファしているかどうかを示す、
請求項３６又は３７に記載の方法。
【請求項４０】
請求項１１乃至１７、３２乃至３５のいずれか一項に記載のコンピュータプログラムを記憶するコンピュータ読取可能記憶媒体。
【発明の詳細な説明】
【背景技術】
【０００１】
諸実施形態は、無線通信の分野に関する。より具体的には、諸実施形態は、無線送信機と受信機との間の通信プロトコルの分野に関する。
【発明の概要】
【０００２】
諸実施形態は、制限アクセスウィンドウ（ＲＡＷ）関連付けスキームを実装し得る。ＲＡ関連付けスキームは、ＲＡＷにおいて通信することができる局の範囲のような情報を提供し、使用する。多くの実施形態は、ＲＡＷ開始関連付け識別子（ＡＩＤ：association  identifier）及びＲＡＷ終了ＡＩＤを定義して、ＲＡＷに関連付けられる局の範囲を定義する。一部の実施形態は、ＲＡＷパラメータセット（ＰＳ：parameter  set）情報要素（ＩＥ：information  element）で局の範囲を定義する。
【図面の簡単な説明】
【０００３】
【図１】複数の固定又はモバイル通信デバイスを含む、複数の通信デバイスを備えた無線ネットワークの実施形態を示す図である。
【図１Ａ】図１Ａに図示される階層データ構造のための関連付け識別子（ＡＩＤ）をマッピングするトラフィック指示の階層データ構造の実施形態を示す図である。
【図１Ｂ】図１Ａに図示される階層データ構造のための関連付け識別子（ＡＩＤ）をマッピングするトラフィック指示の階層データ構造の実施形態を示す図である。
【図１Ｃ】制限的アクセスウィンドウ（ＲＡＷ）への局の割り当てを決定するための管理フレーム及びフレーム要素の実施形態を示す図である。
【図１Ｄ】制限的アクセスウィンドウ（ＲＡＷ）への局の割り当てを決定するための管理フレーム及びフレーム要素の実施形態を示す図である。
【図１Ｅ】制限的アクセスウィンドウ（ＲＡＷ）への局の割り当てを決定するための管理フレーム及びフレーム要素の実施形態を示す図である。
【図１Ｆ】制限的アクセスウィンドウ（ＲＡＷ）への局の割り当てを決定するための管理フレーム及びフレーム要素の実施形態を示す図である。
【図２】トラフィック指示マッピングのための階層データ構造に基づいて、局をＲＡＷに関連付けるＲＡＷ  ＡＩＤ範囲を用いてフレームを生成、送信、受信、デコード及びインターセプトする装置の実施形態を示す図である。
【図３Ａ】トラフィック指示マッピングのための階層データ構造に基づいて、ＲＡＷ割り当てを用いてフレームを生成するフローチャートの実施形態を示す図である。
【図３Ｂ】トラフィック指示マッピングのための階層データ構造に基づいて、ＲＡＷ割り当てを用いてフレームを生成するフローチャートの実施形態を示す図である。
【図４Ａ】図１〜図２に図示されるフレームを用いる通信を送信、受信、デコード及びインターセプトするフローチャートの実施形態を示す図である。
【図４Ｂ】図１〜図２に図示されるフレームを用いる通信を送信、受信、デコード及びインターセプトするフローチャートの実施形態を示す図である。
【発明を実施するための形態】
【０００４】
以下は、添付の図面に図示される新規な実施形態の詳細な説明である。しかしながら、提示される詳細の量は、説明される実施形態について予測される変形を限定するようには意図されておらず、むしろ、特許請求の範囲及び発明の詳細な説明は、添付の特許請求の範囲によって定義されるような本発明の教示の精神及び範囲内にある全ての修正、均等物及び代替形態に及ぶべきである。以下の詳細な説明は、そのような実施形態を当業者に理解可能にするように意図される。
【０００５】
諸実施形態は、制限アクセスウィンドウ（ＲＡＷ）関連付けスキームを実装し得る。ＲＡ関連付けスキームは、ＲＡＷにおいて通信することができる局の範囲のような情報を提供し、使用する。多くの実施形態は、ＲＡＷ開始関連付け識別子（ＡＩＤ：association  identifier）及びＲＡＷ終了ＡＩＤを定義して、ＲＡＷに関連付けられる局の範囲を定義する。一部の実施形態は、ＲＡＷパラメータセット（ＰＳ：parameter  set）情報要素（ＩＥ：information  element）で局の範囲を定義する。ＲＡＷは、局の１つのグループのみが無線媒体にアクセスすることができる時間フレームである。多くの実施形態において、ＲＡＷは、例えば局の間のコンテンションを低減する目的のために実装され得る。局の間のコンテンションを低減することにより、局が、例えばアクセスポイントと通信するのに無線媒体にアクセスするため、起動するか、待機又は競っていなければならない時間の量を低減することができる。例えば局は、バッテリ電源で動作する非常に低電力又は超低電力のデバイスとすることができ、そのような局は、アクセスポイントからデータを通信するか、バッファされたデータを受信する必要があるまで、低電力状態又はスリープ状態のままであってよいので好ましい。
【０００６】
ＲＡＷは、複数の時間スロットからなり、ＲＡＷに関連付けられる各局は、該局が、無線媒体へのアクセスを開始するのが許可される時間スロットに割り当てられ得る。多くの実施形態において、ＲＡＷパラメータセット情報要素（ＲＡＷ  ＰＳ  ＩＥ）は、ＲＡＷの間に無線媒体並びにＲＡＷの構造にアクセスするのを許可される局のグループ（ＲＡＷグループ）を定義することができる。
【０００７】
ＲＡＷ  ＰＳ  ＩＥは、例えばビーコンフレームのような管理フレーム内に含まれることがあり、ページ識別子（ＩＤ）、ＲＡＷ開始ＡＩＤ、ＲＡＷ終了ＡＩＤ、ＲＡＷ開始時間及びＲＡＷ期間を備えることがある。一部の実施形態において、アクセスポイントの媒体アクセス制御（ＭＡＣ：Medium  Access  Control）サブレイヤロジック又はＭＡＣロジックは、トラフィック指示マッピング（ＴＩＭ：traffic  indication  mapping）ビットマップにおけるＲＡＷ開始ＡＩＤ及びＲＡＷ終了ＡＩＤのブロックの関連性とは独立に、ＲＡＷ開始ＡＩＤ及びＲＡＷ終了ＡＩＤを選択してもよい。また受信局は、該受信局が、ＲＡＷに関連付けられるか否かを、ＴＩＭビットマップで示される受信局のＡＩＤに基づいて判断することができる。
【０００８】
ＴＩＭビットマップは、各局を、ＴＩＭビットマップ内の位置への局の割り当てに基づいて、ビットマップ内の局のＡＩＤにおけるページ上のビットにより識別する。さらに、管理フレームは、局がアクセスポイントでバッファされたデータを有するかどうかを受信局に示す、ＴＩＭ  ＩＥを含んでもよい。幾つかの実施形態において、ＴＩＭ  ＩＥは、ページ化された局及びページ化されていない局を示すビットマップを備えることがある。ページ化された局は、アクセスポイントでバッファされたデータを有すると識別された局である。ページ化されていない局は、未ページ化局とも呼ばれ、アクセスポイントでバッファされたデータを有すると識別されない局である。
【０００９】
多くの実施形態は、データをアップロード又はダウンロードするために、ＲＡＷ  ＰＳ  ＩＥを用いて管理フレームを生成及び伝送するＭＡＣロジックを備え、局をＲＡＷと関連付ける。更なる実施形態は、ＲＡＷ中のダウンリンクのバッファ可能ユニット（ＢＵ：bufferable  unit）配信のためのＰＳポーリング（PS  Poll）のようなフレームの生成及び伝送するＭＡＣロジックを備える。
【００１０】
様々な実施形態が、局を制限アクセスウィンドウに割り当てることに関連する異なる技術的課題を解決するように意図され得る。例えば一部の実施形態は、特定の数の局をＲＡＷに関連付けることのように、１つ又は複数の技術的課題を解決するように意図されることがある。言い換えると、現在のＲＡＷの定義は、ブロックの粒度性により、管理フレームにおけるＲＡＷと局の関連付けを容易にする。ブロックは、例えばＩＥＥＥ  ８０２．１１ａｈシステムにおいて、６４個の局すなわち６４個のＡＩＤと関連付けられることがある。したがって、一部の実施形態は、ＲＡＷの関連性の通信に最小の粒度を有するという問題に対処し得る。
【００１１】
上述のような異なる技術的問題が、１つ又は複数の異なる実施形態によって対処され得る。例えば局を制限アクセスウィンドウに割り当てることに対処するように意図された一部の実施形態は、局の範囲によってＲＡＷの関連性を通信することのような、１つ又は複数の異なる技術的手段によって行われることがある。多くの実施形態は、局の範囲を、範囲内の局とブロックの関連性とは独立に決定してよい。幾つかの実施形態は、局の範囲を、例えばページＩＤ、ＲＡＷ開始ＡＩＤ及びＲＡＷ終了ＡＩＤに基づいて識別する。ページＩＤは、局のどのページがＲＡＷに関連付けられるかを識別することができる。ＲＡＷ開始ＡＩＤは、局がＲＡＷ開始ＡＩＤ以上である場合に、その局が、ＲＡＷに関連付けられる局の範囲内にあるように、局の範囲内の最初の局を定義することができる。ＲＡＷ終了ＡＩＤは、局がＲＡＷ開始ＡＩＤ以上であって、ＲＡＷ終了ＡＩＤ以下である場合に、その局が、ＲＡＷに関連付けられる局の範囲内にあるように、局の範囲内の最後の局を定義することができる。受信局は、ＲＡＷ  ＡＩＤの範囲内にあると判断した場合、該受信局は、ＲＡＷ情報を解析し、更に、ＲＡＷが受信局に関連付けられると決定することができる。例えばＲＡＷ  ＰＳ  ＩＥは、アクセスポイントにおいてバッファされたデータを有する局のように、範囲内の特定の局のみが、ＲＡＷに関連付けられることを示すことがある。
【００１２】
一部の実施形態は、ＩＥＥＥ  ８０２．１１ａｈシステム及び２０１１年のＩＥＥＥ  ８０２．１１の下記のＩＥＥＥ規格（IEEE  Standard  for  Information  technology−Telecommunications  and  information  exchange  between  systems−Local  and  metropolitan  area  networks−Specific  requirements−Part  11:  Wireless  LAN  Medium  Access  Control  (MAC)  and  Physical  Layer  (PHY)  Specifications、インターネット＜URL:http://standards.ieee.org/getieee802/download/802.11-2012.pdf＞)のような規格に従って動作する他のシステムのようなＩＥＥＥ  ８０２．１１システムを実装する。
【００１３】
一実施形態によると、トラフィック指示マッピングの階層データ構造に基づくＴＩＭビットマップを定義し、多数の関連する局を有効にし、より効率的なＴＩＭ要素、多くの例では、Ｗｉ−Ｆｉ（登録商標）を使用して非常に低い電力消費でインターネットに接続する小さなバッテリ電力の無線デバイス（例えばセンサ）のような、低電力消費局のための小さなＴＩＭ要素を用いる。
【００１４】
幾つかの実施形態は、アクセスポイント（ＡＰ）及び／又はＡＰ又は局のクライアントデバイスを備え、これらは、例えばルータ、スイッチ、サーバ、ワークステーション、ネットブック、モバイルデバイス（ラップトップ、スマートフォン、タブレット等）並びにセンサ、メータ、コントロール、計器、モニタ、機器等である。一部の実施形態は、屋内及び／又は屋外のスマートグリッド及びセンササービスを提供し得る。例えば一部の実施形態は、計測局を提供することができ、電気、水、ガス及び／又は特定のエリア内の家庭用の公共設備の使用状況を測るセンサからのデータを収集し、これらのサービスの使用状況をメータサブステーションに無線で伝送することができる。更なる実施形態は、減少検知（fall  detection）、薬瓶モニタリング、体重モニタリング、睡眠時無呼吸、血糖値、心拍等のような、患者についてのイベント及びバイタルサインに関連する健康状態をモニタリグするための家庭用ヘルスケア、病院又はホスピタル用のセンサからのデータを収集する。そのようなサービス用に設計される実施形態は、一般に、ＩＥＥＥ８０２．１１ｎ／ａｃシステムで提供されるデバイスより、かなり低いデータレートとかなり低い（超低の）電力消費しか必要としないことがある。
【００１５】
本明細書で説明されるロジック、モジュール、デバイス及びインタフェースは、ハードウェア及び／又はコードで実装することが可能な機能を実行することがある。ハードウェア及び／又はコードは、ソフトウェア、ファームウェア、マイクロコード、プロセッサ、状態マシン、チップセット又はその機能性を達成するように設計されるこれらの組み合わせを備えてよい。
【００１６】
実施形態は、無線通信を容易にし得る。一部の実施形態は、Ｂｌｕｅｔｏｏｔｈ（登録商標）、無線ローカルエリアネットワーク（ＷＬＡＮ）、無線メトロポリタンエリアネットワーク（ＷＭＡＮ）、無線パーソナルエリアネットワーク（ＷＰＡＮ）、セルラネットワーク、ネットワークにおける通信、メッセージングシステム及びデバイス間の対話を容易にするスマートデバイスのような低電力の無線通信を備えることができる。さらに、一部の無線の実施形態は、単一のアンテナを組み込んでもよく、他の実施形態では複数のアンテナを用いてもよい。１つ又は複数のアンテナが、プロセッサと、ラジオ波を送信及び／又は受信する無線機を結合することがある。例えば多重入出力（ＭＩＭＯ：multiple−input  and  multiple−output）は、通信性能を改善するため、送信機と受信機の双方において複数のアンテナを介して信号を搬送する無線チャネルを使用する。
【００１７】
以下で説明される具体的な実施形態の一部は、具体的な構成を有する実施形態を示すが、当業者には、本開示の実施形態が、有利には、同様の問題又は課題を有する他の構成を用いて実装されてもよいことが理解されよう。
【００１８】
次に図１に移ると、無線通信システム１０００の実施形態が示されている。無線通信システム１０００は、ネットワーク１００５に有線及び無線通信で接続される通信デバイス１０１０を備える。通信デバイス１０１０は、複数の通信デバイス１０３０、１０５０、１０５５とネットワーク１００５を介して無線で通信することができる。通信デバイス１０１０は、アクセスポイントを備えることがある。通信デバイス１０３０は、センサ、家庭用電化製品、パーソナルモバイルデバイス等のような低電力通信デバイスを備えることがある。通信デバイス１０５０及び１０５５は、センサ、局、アクセスポイント、ハブ、スイッチ、ルータ、コンピュータ、ラップトップ、ネットブック、携帯電話、スマートフォン、ＰＤＡ（パーソナルデジタルアシスタント）又は他の無線機能付きデバイスを備えることができる。したがって、通信デバイスは、モバイルであっても固定型であってもよい。例えば通信デバイス１０１０は、家の近所で水の消費についての計測サブステーションであってよい。近所の家はそれぞれ、通信デバイス１０３０のようなセンサを備え、該通信デバイス１０３０は、水の使用メータに統合されるか結合され得る。
【００１９】
最初に、通信デバイス１０３０は、通信デバイス１０１０を関連付けて、該通信デバイス１０１０から、通信デバイス１０１０に関連付けられる他の通信デバイス１０５０及び１０５５に対して通信デバイス１０３０を一意に識別する関連付け識別子（ＡＩＤ）を受信することがある。多くの実施形態において、ＡＩＤは、１３ビットを備え、これらのビットは、ページ、ブロック、サブブロック及びサブブロック内の局のビット位置を識別する。図１Ｂは、そのようなＡＩＤ構造１１５０の実施形態を図示している。その後、通信デバイス１０１０は、通信デバイス１０３０のために媒体アクセス制御（ＭＡＣ）サービスデータユニット（ＭＳＤＵ）のようなデータをバッファすることができる。
【００２０】
通信デバイス１０３０のためにＭＳＤＵをバッファした後、通信デバイス１０１０は、ビーコンを、関連するデバイスへ送信し、フレーム１０１４のようなトラフィック指示マップ（ＴＩＭ）情報要素（ＩＥ）によって、通信デバイス１０１０によりバッファされたデータを有するデバイスを識別することができる。本実施形態において、ＴＩＭ情報要素は、ページ、ブロック、及びブロックの符号化によっては局のサブブロックを識別することによって、通信デバイス１０３０のような、バッファされたデータを有する各局のＡＩＤを識別することができる。ＴＩＭ情報要素は、８ビットなど複数のビットを備えてよく、これらのビットは、論理値１と０（ゼロ）により、バッファされたデータを有するサブブロック内の局を識別する。多くの実施形態において、通信デバイス１０３０に関連付けられるサブブロック内のビット位置における論理値１は、通信デバイス１０１０が、通信デバイス１０３０用のデータをバッファしていることを示すことがある。更なる実施形態において、論理値ゼロは、通信デバイス１０１０が、通信デバイス１０３０用のデータをバッファしていることを表すこともある。
【００２１】
幾つかの実施形態において、通信デバイス１０１０及び通信デバイス１０３０はそれぞれ、制限アクセスウィンドウのパラメータセットの情報要素（ＲＡＷ  ＰＳ  ＩＥ）を、ＴＩＭビットマップと同じビーコンで、あるいは同じ又は異なる伝送の別のＭＡＣフレームで、伝送及び受信することがある。多くの実施形態において、ＭＡＣサブレイヤロジック１０１８は、ビーコンフレーム１０１４のようなＲＡＷ  ＰＳ  ＩＥを有するフレームを生成して、ＲＡＷに関連付けられる局の範囲を定義することがある。幾つかの実施形態において、ＲＡＷに関連付けられる局の範囲は、ＲＡＷ割り当ての範囲における最初の局を識別する第１の関連付け識別子（ＡＩＤ）と、ＲＡＷ割り当ての範囲における最後の局によって識別される。有利には、ＲＡＷ割り当ての範囲における最初の局及びＲＡＷ割り当ての範囲における最後の局の選択は、通信デバイス１０１０に関連付けられる局のＡＩＤのブロック内における最初の局及び最後の局の位置とは独立である。多くの実施形態において、ＲＡＷ割り当ての範囲における最初の局及びＲＡＷ割り当ての範囲における最後の局の選択は、ＲＡＷに関連付けられる局の範囲とともに伝送されるページ識別子に関連付けられるページのブロック内における最初の局及び最後の局の位置とは独立である。
【００２２】
ＲＡＷ  ＰＳ  ＩＥは、ＲＡＷの間に媒体にアクセスすることができる局、ＲＡＷ開始時間及び制限アクセスウィンドウのＲＡＷ期間（Ｔｒａｗ）を識別し得る。多くの実施形態において、ＲＡＷ  ＰＳ  ＩＥは、該ＲＡＷ  ＰＳ  ＩＥが関連付けられるＡＩＤのページを識別するページＩＤを備えることがある。一部の実施形態において、ＲＡＷ  ＰＳ  ＩＥは、ＲＡＷ開始ＡＩＤ及びＲＡＷ終了ＡＩＤを備えることがある。ＲＡＷ開始ＡＩＤは、潜在的にＲＡＷに関連付けられる局の範囲内の最初の局のＡＩＤを識別することができる。ＲＡＷ終了ＡＩＤは、潜在的にＲＡＷに関連付けられる局の範囲内の最後の局のＡＩＤを識別することができる。そして、ＲＡＷ  ＰＳ  ＩＥの１つ又は複数の他のビットは、特定の局が、ＲＡＷ中に媒体へのアクセスを有するかどうかを示すことができる。
【００２３】
幾つかの実施形態において、通信デバイス１０１０は、例えばＲＡＷパラメータセットＩＥ内にフラグを含めることによって、ＲＡＷの使用を、ページ化された局に制限することができる。ページ化された局は、通信デバイス１０１０によってバッファされたデータを有する局を指し、バッファされたデータを有する局は、ＴＩＭ情報要素のＴＩＭビットマップ内で識別される。制限アクセスウィンドウが、ページ化された局に限定される場合、通信デバイス１０３０は、通信デバイス１０１０によって該通信デバイス１０３０に割り当てられたＡＩＤに基づいてＴＩＭ情報要素を解釈することができる。多くの実施形態において、通信デバイス１０３０は、ＡＩＤを解析して通信デバイス１０３０に関連付けられるページを決定し、ＴＩＭ情報要素を解析して、ＴＩＭ情報要素が、同じページに関連付けられる局のためのデータバッファを記述するかどうかを決定することができる。ＴＩＭ情報要素が、そのようなデータバッファを記述している場合、通信デバイス１０３０は、ＴＩＭ情報要素を解析して、ＡＩＤからのブロックインデックスが開始ブロックインデックス及び／又は終了ブロックインデックスによって識別されるブロックインデックスの範囲内にある場合に、局のためのデータバッファをＴＩＭ情報要素が記述しているかどうかを決定する。そうである場合、通信デバイス１０３０は、関連付け識別子を解析し、ブロック及びサブブロックの値をＴＩＭ情報要素によって表される値と比較するという処理を繰り返すことができる。通信デバイス１０３０は、上記値を比較して、通信デバイス１０１０が通信デバイス１０３０のためのデータをバッファリングしているとＴＩＭ情報要素が示しているかどうか、及び／又はＴＩＭ情報要素は、通信デバイス１０３０に関連付けられたサブブロック内のビット位置に、通信デバイス１０１０が通信デバイス１０３０のためのデータをバッファリングしていることを示すデータを含むかどうか、を決定することができる。
【００２４】
他の実施形態において、ＴＩＭ情報要素は、ＴＩＭセグメントであるＴＩＭビットマップを含み得る。ＴＩＭセグメントは、トラフィック指示マップの１ページの一部を表すことがあり、ＴＩＭセグメント数並びに開始ブロック及びブロック範囲に関連付けられることがある。これらの実施形態の一部において、通信デバイス１０３０は、ＴＩＭビットマップが、ＴＩＭセグメント数によって、通信デバイス１０３０をカバーするトラフィック指示マップのブロックを含むかどうかを決定することができる。その後、通信デバイス１０３０は、ブロック及びサブブロックを解析して、通信デバイス１０１０が通信デバイス１０３０用のデータをバッファリングしているか否か、及び一部の実施形態ではＴＩＭビットマップ内の通信デバイス１０３０に先行するページ化された局の数を決定することができる。
【００２５】
制限アクセスウィンドウが、ページ化された局に限定されない場合、次いで、制限アクセスウィンドウは、ＴＩＭ情報要素内のＴＩＭビットマップに関連付けられるページ化された局及びページ化されていない局へと開かれることがある。そのような実施形態において、通信デバイス１０３０は、ＴＩＭビットマップが、通信デバイス１０３０の関連付け識別子（ＡＩＤ）をカバーしていることを検証し、カバーしている場合、通信デバイス１０３０は、通信デバイス１０３０のＡＩＤの位置が、最後の数ビットのようなＡＩＤ又はＡＩＤの一部であると決定することがある。
【００２６】
ＴＩＭビットマップ内における通信デバイス１０３０の位置を決定することに加えて、ＭＡＣサブレイヤロジック１０３８は、ＲＡＷ  ＰＳ  ＩＥを解析及び解釈して、ＲＡＷ開始ＡＩＤ、ＲＡＷ終了ＡＩＤ、ＲＡＷ開始時間及びＲＡＷ期間を決定することができる。多くの実施形態において、ＭＡＣサブレイヤロジック１０３８は、ＲＡＷ  ＰＳ  ＩＥを解析及び解釈して、通信デバイス１０３０がＲＡＷに関連付けられるかどうかを決定する。一部の実施形態において、ＭＡＣサブレイヤロジック１０３８は、ＲＡＷ  ＰＳ  ＩＥを解析及び解釈して、通信デバイス１０３０に関連付けられるＲＡＷのスロットを決定してもよい。
【００２７】
多くの実施形態において、通信デバイス１０３０は、ＲＡＷ  ＰＳ  ＩＥの処理を可能な限り最小化することを試み、そのため、通信デバイス１０３０は、最初にページＩＤを解析して、ＲＡＷ開始ＡＩＤ及びＲＡＷ終了ＡＩＤが通信デバイス１０３０と同じページにあるかどうかを判断することができる。幾つかの実施形態において、局のＡＩＤ内の最上位ビット（ＭＳＢ：most  significant  bit）は、局が存在しているページを示す。ＲＡＷ  ＰＳ  ＩＥが、通信デバイス１０３０が存在しているのと同じページを指す場合、通信デバイス１０３０は、ＲＡＷ開始ＡＩＤを決定することができる。一部の実施形態において、ＲＡＷ開始ＡＩＤは、ＲＡＷ中に媒体にアクセスすることができる、局の範囲内の局のＡＩＤの最下位ビット（ＬＳＢ：least  significant  bit）を表すことがある。そのような実施形態において、通信デバイス１０３０は、ＲＡＷ開始ＡＩＤを通信デバイス１０３０のＡＩＤと比較して、ＲＡＷ開始ＡＩＤが通信デバイス１０３０のＡＩＤのＬＳＢ以下であるかどうかを判断することができる。さらに、ＲＡＷ開始ＡＩＤが通信デバイス１０３０のＡＩＤのＬＳＢ以下である場合、通信デバイス１０３０は、ＲＡＷ終了ＡＩＤを通信デバイスのＡＩＤと比較して、ＲＡＷ終了ＡＩＤが通信デバイス１０３０のＡＩＤのＬＳＢ以上であるかどうかを判断することができる。
【００２８】
他の実施形態において、通信デバイス１０３０は、通信デバイス１０３０のＡＩＤをＲＡＷ開始ＡＩＤと比較し、通信デバイス１０３０のＡＩＤがＲＡＷ開始ＡＩＤ以上である場合、通信デバイス１０３０は、通信デバイス１０３０のＡＩＤをＲＡＷ終了ＡＩＤと比較して、通信デバイス１０３０のＡＩＤがＲＡＷ終了ＡＩＤ以下であるかどうかを判断する。通信デバイス１０３０は、通信デバイス１０３０のＡＩＤが、ＲＡＷに関連付けられるＡＩＤの範囲内であると判断した場合、通信デバイス１０３０は、通信デバイス１０３０に関連付けられるＲＡＷ内のスロットを決定する。一部の実施形態において、通信デバイス１０３０のメモリ１０３１内のマッピング関数は、通信デバイス１０３０が、通信デバイス１０１０へのアクセスを主張し得るスロットを決定する。
【００２９】
更なる実施形態において、通信デバイス１０１０は、データのオフロードを容易にすることができる。例えば低電力センサである通信デバイスは、計測局にアクセスするために待機する際、及び／又は帯域幅の可用性を増大させる際に消費される電力消費を低減する目的で、例えばＷｉ−Ｆｉを介して別の通信デバイス、セルラネットワーク等と通信するデータオフロードスキームを含んでもよい。計測局のようなセンサからデータを受け取る通信デバイスは、ネットワーク１００５の輻輳を低減する目的で、例えばＷｉ−Ｆｉを介して別の通信デバイス、セルラネットワーク等と通信するデータオフロードスキームを含んでもよい。
【００３０】
ネットワーク１００５は、複数のネットワークの相互接続を表してもよい。例えばネットワーク１００５は、インターネット又はイントラネットのようなワイドエリアネットワークと結合してもよく、１つ又は複数のハブ、ルータ又はスイッチを介して有線又は無線で相互接続されるローカルデバイスを相互接続してもよい。本実施形態において、ネットワーク１００５は通信デバイス１０１０、１０３０、１０５０、１０５５を通信可能に結合する。
【００３１】
通信デバイス１０１０及び１０３０は、それぞれ、プロセッサ１００１及び１００２、メモリ１０１１及び１０３１、媒体アクセス制御（ＭＡＣ）サブレイヤロジック１０１８及び１０３８、物理レイヤ（ＰＨＹ）ロジック１０１９及び１０３９を備える。プロセッサ１００１及び１００２は、マイクロプロセッサ、マイクロコントローラ、状態マシン及び／又は同様のもの等の任意の種類のデータ処理デバイスを備えてよい。メモリ１０１１及び１０３１は、動的ランダムアクセスメモリ（ＤＲＡＭ）、読取専用メモリ（ＲＯＭ）、バッファ、レジスタ、キャッシュ、フラッシュメモリ、ハードディスクドライブ、半導体ドライブ等のような記憶媒体を備えてよい。メモリ１０１１及び１０３１は、あるいは管理フレーム構造及び図１Ａに図示される階層データ構造１１００のような階層データ構造に基づくトラフィック指示マップ（ＴＩＭ）情報要素のような、フレーム及び／又はフレーム構造又はこれらの一部を格納してもよい。さらに、メモリ１０１１及び１０３１は、データをバッファするための関連する局を識別する、階層データ構造内のトラフィック指示マップの少なくとも一部を備えてもよい。例えばメモリ１０１１は、通信デバイス１０１０が、バッファされたデータと、通信デバイス１０３０のためのバッファされたデータへの参照又はリンクを備えてもよい。
【００３２】
ＭＡＣサブレイヤロジック１０１８、１０３８は、通信デバイス１０１０、１０３０のデータリンクレイヤのＭＡＣサブレイヤの機能を実装するロジックを備えることができる。ＭＡＣサブレイヤロジック１０１８、１０３８は、管理フレームのようなフレームを生成し、物理レイヤロジック１０２９、１０３９は、これらのフレームに基づいて物理レイヤプロトコルデータユニット（ＰＰＤＵ：physical  layer  protocol  data  unit）を生成することができる。例えばＭＡＣサブレイヤロジック１０１８のフレームビルダ１０１３は、ＴＩＭ  ＩＥ及びＲＡＷ  ＰＳ  ＩＥを有するフレーム１０１４を生成し、物理レイヤロジック１０２９のデータユニットビルダは、フレームをプリアンブルにプリペンドして、トランシーバ（ＲＸ／ＴＸ）１０２０及び１０４０のような物理レイヤデバイスを介した伝送のためのＰＰＤＵを生成することができる。
【００３３】
ＴＩＭ情報要素及びＲＡＷ  ＰＳ  ＩＥを有するフレーム１０１４は、図１Ｃの管理フレーム１５００及び図１Ｅの管理フレーム１７００のような、情報要素又は多重フレームの双方を有する同じ管理フレームを備えることができる。特に、ＴＩＭ情報要素１０１４を有するフレームは、図１Ｄに図示されるＴＩＭビットマップ１６００のような、階層データ構造に基づくＴＩＭビットマップを備え、通信デバイス１０１０のようなＡＰによってバッファされたデータを有する、例えばある１ページ内における各局を識別することができる。例えばＡＰは、電力セーブ（ＰＳ：power  saving）モードで動作している局にはＭＳＤＵを任意に伝送しないことがあるが、ＭＳＤＵをバッファして、指定された時にのみこれらのＭＳＤＵを送信してもよい。さらに、現在ＡＰ内にＭＳＤＵをバッファしている局を、ＴＩＭ情報要素を備えるフレームで識別してもよく、このＴＩＭ情報要素は、例えばＡＰによって生成されたビーコンフレーム内に要素として含まれ得る。次いで各局は、ビーコンフレーム内のＴＩＭ情報要素を受信して解釈することによって、ＭＳＤＵが（通信デバイス１０３０のような）局のためにバッファされていると決定することができる。局は、ＴＩＭ要素を解析することによってＴＩＭ要素を解釈することができる。分散調整機能（ＤＣＦ：distributed  coordination  function）下で動作する基本サービスセット（ＢＳＳ）において、ＭＳＤＵが現在ＡＰ内にバッファされていると決定すると、ＰＳモードで動作している局は、ＰＳポーリングフレームをＡＰに送信し、ＡＰは、対応するバッファリングされたＭＳＤＵで直ぐに応答してもよく、あるいはＰＳポーリングを受け入れて、後で対応するＭＳＤＵで応答してもよい。
【００３４】
一部の実施形態において、通信デバイス１０１０は、ネットワーク配分ベクトル（ＮＡＶ：network  allocation  vector）を設定することによって、ＰＳポーリング／トリガフレームを保護してもよい。多くの実施形態において、ページ化された局は、通信デバイス１０１０によって設定されたＮＡＶを無視することが可能である。幾つかの実施形態において、ＮＡＶが設定された場合、ページ化された局（ＳＴＡ）のみが、ＰＳポーリング／トリガフレームをＲＡＷ中に送信することができる。
【００３５】
通信デバイス１０１０、１０３０、１０５０及び１０５５はそれぞれ、トランシーバ（ＲＡ／ＴＸ）１０２０及び１０４０のようなトランシーバを備えることができる。多くの実施形態において、トランシーバ１０２０及び１０４０は、直交周波数分割多重（ＯＦＤＭ：orthogonal  frequency−division  multiplexing）１０２２、１０４２を実装する。ＯＦＤＭ１０２２、１０４２は、多重搬送周波数においてデジタルデータをエンコードする方法を実装する。ＯＦＤＭ１０２２、１０４２は、デジタル多重搬送波変調方法として使用される周波数分割マルチプレクサスキームを備える。大量の密集した直交副搬送波信号を使用してデータを搬送する。データは、副搬送波ごとに１つの、幾つかの並行データストリーム又はチャネルに分割される。各副搬送波は、同じ帯域幅における従来の単一搬送波変調スキームと同様の合計データレートを維持しつつ、低シンボルレートの変調スキームで変調される。
【００３６】
ＯＦＤＭシステムは、幾つかの搬送波又は「トーン」を、データ、パイロット、ガード及びヌル化を含む機能に使用する。データトーンは、複数のチャネルのうちの１つを介して送信機と受信機との間で情報を転送するのに使用される。パイロットトーンは、チャネルを保持するのに使用され、時間／周波数及びチャネルトラッキングに関する情報を提供し得る。ガードトーンは、信号をスペクトルマスクに整合させるのを助ける。直接コンポーネント（ＤＣ：direct  component）のヌル化は、直接変換受信機の設計を簡略化するのに使用され得る。ガード間隔は、伝送中に複数経路の歪み（multi−path  distortion）から生じる可能性があるシンボル間干渉（ＩＳＩ：inter−symbol  interference）を回避するため、送信機のフロントエンドにおいて、全てのＯＦＤＭシンボル間、並びに短期訓練フィールド（ＳＴＦ：short  training  field）シンボルと長期訓練フィールド（ＬＴＦ：long  training  field）シンボルとの間等、シンボル間に挿入され得る。
【００３７】
各トランシーバ１０２０、１０４０は、ＲＦ送信機及びＲＦ受信機を備える無線機１０２５、１０４５を備える。ＲＦ送信機は、ＯＦＤＭ１０２２を備え、該ＯＦＤＭ１０２２は、電磁放射によるデータの伝送のために、デジタルデータを、トーンでエンコードされたＯＦＤＭシンボルとして、副搬送波とも呼ばれるＲＦ周波数に加える。本実施形態では、ＯＦＤＭ１０２２は、デジタルデータを、トーンでエンコードされたＯＦＤＭシンボルとして、伝送のため副搬送波に加えることができる。ＯＦＤＭ１０２２は、情報信号を、無線機１０２５、１０４５を介してアンテナアレイ１０２４の要素に適用されるべき信号へと変換してもよい。ＲＦ受信機は、ＲＦ周波数の電磁エネルギを受信して、ＯＦＤＭシンボルからデジタルデータを抽出する。
【００３８】
一部の実施形態において、通信デバイス１０１０は、破線で示されているように、オプションでデジタルビームフォーマ（ＤＢＦ：Digital  Beam  Former）１０２３を備える。一部の実施形態において、ＤＢＦ１０２３は、ＯＦＤＭ１０２２の一部とすることができる。ＤＢＦ１０２３は、空間フィルタリングを提供し、指向信号伝送又は受信のためにアンテナアレイ１０２４とともに使用される信号処理技術である。これは、位相アンテナアレイ１０２４内の要素を、特定の角度の信号が建設的干渉を受け、他の信号が相殺的干渉を受けるような方法で組み合わせることによって達成される。空間的選択性を達成するために、ビーム形成を、送信側及び受信側の双方において使用することができる。アンテナアレイ１０２４は、それぞれ個々に個別に励起するアンテナ要素のアレイである。アンテナアレイ１０２４の要素に適用される信号は、アンテナアレイ１０２４に、１つを４つの空間チャネルに放射させる。そのように形成される各空間チャネルは、情報を、通信デバイス１０３０、１０５０及び１０５５のうちの１つ又は複数に搬送する。同様に、通信デバイス１０３０は、通信デバイス１０１０との間で信号を送受信するトランシーバ（ＲＸ／ＴＸ）１０４０を備える。トランシーバ（ＲＸ／ＴＸ）１０４０は、アンテナアレイ１０４０と、オプションでＤＢＦ１０４２を備えることがある。
【００３９】
図１は、例えば４つの空間ストリームを有する多重入出力（ＭＩＭＯ）システムを含む、複数の異なる実施形態を示してもよく、また単一入出力（ＳＩＳＯ）システム、単一入力多重出力（ＳＩＭＯ）システム及び多重入力単一出力（ＭＩＳＯ）システムを含め、通信デバイス１０１０、１０３０、１０５０及び１０５５のうちの１つ又は複数が、単一のアンテナを有する受信機及び／又は送信機を備える退化したシステム（degenerate  system）を示してもよい。代替において、図１は、複数のアンテナを含み、複数ユーザのＭＩＭＯ（ＭＵ−ＭＩＭＯ）操作を可能にし得るトランシーバを示してもよい。
【００４０】
図１Ａは、ページ当たり３２ブロックを有する４ページのトラフィック指示マッピングの階層データ構造１１００の実施形態を示す。階層の上位レベルにおいて、トラフィック指示仮想マップが４つのページに分割され得る。各ページは、２０４８の局までサポートすることができ、幾つかの実施形態では、各ページは部分仮想ビットマップとして別個のＴＩＭ情報要素で伝送され得る。一部の実施形態において、複数のＴＩＭ情報要素は、同じ媒体アクセス制御（ＭＡＣ）サービスデータユニット（ＭＳＤＵ）で伝送され得る。更なる実施形態において、複数のＭＳＤＵが各物理レイヤ（ＰＨＹ）プロトコルデータユニット（ＰＰＤＵ）に集約され得る。他の実施形態において、階層データ構造１１００は、４ページよりも多くの、又は少ないページを備えてもよい。
【００４１】
図示された各ページは、ページ当たり３２ブロックまで備え、３２ブロックはそれぞれ６４個の局までサポートすることができる。言い換えると、各ブロックは、局に関連付けられた６４のＡＩＤを表すことができる。各ブロックは８つのサブブロックを備えてよい。各サブブロックは１オクテット（８ビット）の長さとすることができ、対応するブロックに関連付けられる８つの局をサポートし得る。更なる実施形態において、各ブロックは８個より多くの又は少ないサブブロックを備えてもよく、サブブロックのそれぞれは、１オクテットより長い又は短い長さであってもよい。
【００４２】
サブブロックの各ビットは、異なる関連付け識別子（ＡＩＤ）に対応し、したがって、各ビットは局を一意に識別することができる。本実施形態において、バッファされたデータがＡＰに存在する場合、ビットは１に設定され得る。そうでない場合には、ビットはゼロへとクリアされ得る。
【００４３】
図１Ｂは、図１Ａに図示される階層データ構造のための関連付け識別子の構造１１５０の実施形態を示す。本実施形態において、ＡＩＤは１３ビット（ｂ０からｂ１２）を備える。他の実施形態において、ＡＩＤ構造１１５０は１３ビットより多くの又は少ないビットを備えてもよい。
【００４４】
本実施形態において、ＡＩＤ構造１１５０は、２ビット（ｂ１２〜ｂ１１）を有するページ識別子（ＩＤ）を備えてよく、このページＩＤは、以下でＡＩＤ構造１１５０を示すＡＩＤ方程式では「ａ」として表される。ページＩＤは、ＲＡＷ開始ＡＩＤ及びＲＡＷ終了ＡＩＤのＭＳＢであってよい。ＡＩＤ構造１１５０は、２ビット（ｂ１０〜ｂ９）を有するページＩＤ／ブロックインデックス拡張も備えてよく、このページＩＤ／ブロックインデックス拡張は、ＡＩＤ方程式では「ｂ」として表される。ページＩＤ／ブロックインデックス拡張は、ブロック当たりのページ又はページ当たりブロックのより高い比率を容易にする。ＡＩＤ構造１１５０は、３ビット（ｂ８〜ｂ６）を有するブロックインデックスも備えてよく、該ブロックインデックスは、ＡＩＤ方程式では「ｃ」として表される。ＡＩＤ構造１１５０は、３ビット（ｂ５〜ｂ３）を有するサブブロックインデックスも備えてよく、該サブブロックインデックスは、ＡＩＤ方程式では「ｄ」として表される。そして、ＡＩＤ構造１１５０は、３ビット（ｂ２〜ｂ０）を有する局ビット位置インデックスも備えてよく、該局ビット位置インデックスはＡＩＤ方程式では「ｅ」として表される。本実施形態において、最後の１１ビット（ｂ１０＝ｂ０）は、ＲＡＷ開始ＡＩＤ及びＲＡＷ終了ＡＩＤのＬＳＢを表すことにも留意されたい。
【００４５】
ＡＩＤ方程式は、図１Ａに図示される階層データ構造に基づく、局当たりの一意の数の計算を説明し得る。具体的に、この実施形態において、ＡＩＤの一意の数は以下の式によって計算され得る。  
ＡＩＤ＝((((ページＩＤ×４＋(ページＩＤ/ブロックインデックス拡張−１))×８＋(ブロックインデックス−１))×８＋(サブブロックインデックス−１))×８＋(局ビット位置インデックス)
説明すると、変数が、ページＩＤ＝０、ページＩＤ／ブロックインデックス拡張＝１、ブロックインデックス＝２、サブブロックインデックス＝６であるとすると、方程式は次の通りになる。  
ＡＩＤ＝((((０×４＋(１−１))×８＋(２−１))×８＋(６−１))×８＋(４)＝１０８
図１Ｃ〜図１Ｆは、トラフィック指示マップの要素ビットマップに基づいて、局を制限アクセスウィンドウに割り当てるための実施形態を示している。より具体的には、図１Ｃ〜図１Ｆは、局の範囲を制限アクセスウィンドウに関連付けるための管理フレームとフレーム要素の実施形態を示す。図１Ｃは、図１の無線通信デバイス１０１０、１０３０、１０５０及び１０５５のような無線通信デバイス間の通信のための管理フレーム１５００の実施形態を示す。管理フレーム１５００は、ＭＡＣヘッダ１５０１、フレーム本体１５１４及びフレームチェックシーケンス（ＦＣＳ）フィールド１５２６を備えることができる。ＭＡＣヘッダ１５０１は、フレーム制御フィールド１５０２と他のＭＡＣヘッダフィールド１５０８とを備えてよい。フレーム制御フィールド１５０２は、２オクテットとすることができ、管理タイプ及び例えばビーコンフレームサブタイプのようなフレームのタイプとサブタイプを識別することができる。他のＭＡＣヘッダフィールド１５０８は、例えば１つ又は複数のアドレスフィールド、識別情報フィールド、制御フィールド等を備えてよい。
【００４６】
一部の実施形態において、管理フレーム１５００は、フレーム本体１５１４を備えることができる。フレーム本体１５１４は、可変の数のオクテットであってよく、データ要素、制御要素あるいはパラメータ及び機能を含むことができる。本実施形態において、フレーム本体１５１４は、トラフィック指示マップ（ＴＩＭ）要素１５２０を備える。他の実施形態において、フレーム本体１５１４は、図１Ｅに関連して説明されるＲＡＷ  ＰＳ  ＩＥ１７２０のようなＲＡＷ  ＰＳ  ＩＥも備えることがある。
【００４７】
多くの実施形態において、管理フレーム１５００は、フレームチェックシーケンス（ＦＣＳ）フィールド１５２６を備えることができる。ＦＣＳフィールド１５２６は、４オクテットとすることができ、エラー検出及び訂正のためにフレーム１５００に追加される付加的なチェックサム文字を含むことができる。
【００４８】
図１Ｄは、ＴＩＭ情報要素（ＩＥ）１６００の実施形態を図示している。アクセスポイント（ＡＰ）は、ＴＩＭ  ＩＥ１６００を伝送して、低電力センサのような局に、ＡＰが局用のデータをバッファリングしていることを通知することができる。多くの実施形態において、その局はその後ＡＰとの通信を開始して、ポーリングフレームを介する等によりバッファされたデータを取得することができる。他の実施形態において、ＡＰは、ビーコンを伝送した後に、データを局に伝送することができる。
【００４９】
ＴＩＭ情報要素１６００は、要素識別子（ＩＤ）フィールド１６０２、長さフィールド１６０６、配信ＴＩＭ（ＤＴＩＭ：delivery  ＴＩＭ）カウントフィールド１６０８、ＤＴＩＭ期間フィールド１６１０、ＴＩＭパラメータフィールド１６１１、ＴＩＭビットマップ制御フィールド１６１２及びＴＩＭビットマップ１６１４等のフィールドを備えることができる。要素ＩＤフィールド１６０２は、１オクテットであってよく、要素をＴＩＭ情報要素１６００として識別することができる。長さフィールド１６０６は、１オクテットであってよく、ＴＩＭ  ＩＥ１６００の長さ又はその一部の長さを定義することができる。ＤＴＩＭカウント１６０８は、１オクテットであってよく、どのくらい多くのビーコンフレーム（現在のフレームを含む）が次のＤＴＩＭフレームの前に現れるかを示すことができる。ＤＴＩＭカウントフィールド１６０８の値０は、現在のＴＩＭ  ＩＥフレームがＤＴＩＭフレームであることを示すことがある。例えば各ＤＴＩＭ（ゼロに等しいＴＩＭ  ＩＥ１６００のＤＴＩＭカウントフィールド１６０８を有するビーコンフレーム）のすぐ後に、ＡＰは、バッファリングされてグループアドレス化されたフレームを全て伝送することができる。バッファリングされたＭＳＤＵ又は集約されたＭＳＤＵ（Ａ−ＭＳＤＵ）を示すＴＩＭ  ＩＥが、コンテンションフリーの期間（ＣＦＰ：contention−free  period）中に伝送される場合、電力セーブ（ＰＳ）モードで動作しているコンテンションフリー（ＣＦ）のポーリング可能な局は、電力セーブ（ＰＳ）ポーリングフレームは送信しないが、バッファリングされたＭＳＤＵ又はＡ−ＭＳＤＵを受信する（又はＣＦＰが終了する）までアクティブなままである。基本サービスセット（ＢＳＳ）内のいずれかの局がＰＳモードの場合、ＡＰは全てのグループアドレス化されたＭＳＤＵをバッファし、これらを、ＤＴＩＭ伝送を含む次のビーコンフレームのすぐ後に全ての局に配信する。
【００５０】
ＤＴＩＭ期間フィールド１６１０は、１オクテットとすることができ、連続するＤＴＩＭ間のビーコン間隔の数を示すことができる。多くの実施形態において、全てのＴＩＭ情報要素フレームがＤＴＩＭである場合、ＤＴＩＭ期間フィールドは値１を有することができる。
【００５１】
ＴＩＭパラメータフィールド１６１１は、Ｎｐ及びＮｂの値を備えることができる。例えばＴＩＭパラメータフィールド１６１１の実施形態は、ページ数（Ｎｐ）フィールド及びページ当たりのブロック数（Ｎｂ）フィールドを備えることができる。
【００５２】
ＴＩＭビットマップ制御フィールド１６１２は、１つ又は２つのオクテットとすることができ、ＴＩＭビットマップ１６１４のコンテンツを記述することができる。例えばＴＩＭビットマップフィールド１６１２は、ビット０のような、グループアドレスバッファデータ０に関連付けられるトラフィック指示ビットを含む、ビットを含むことができる。このビットは、ＤＴＩＭカウントフィールド１６０８の値が０で、１つ又は複数のグループアドレスされたフレームがＡＰにバッファされると、ＴＩＭ  ＩＥ１６００において１に設定される。ＴＩＭビットマップ１６１４は、図１に図示される階層１１００又はその一部のようなビットマップを備えることができる。
【００５３】
図１Ｅは、図１の通信デバイス１０１０、１０３０、１０５０及び１０５５のような無線通信デバイスの間の通信のためのビーコンフレームのような、管理フレーム１７００の実施形態を示す。管理フレーム１７００は、ＭＡＣヘッダ１７０１、フレーム本体１７１４及び巡回冗長検査（ＣＲＣ）フィールド１７２６を備えることができる。ＭＡＣヘッダ１７０１は、フレーム制御フィールド１７０２と他のＭＡＣヘッダフィールド１７０８とを備えることができる。フレーム制御フィールド１７０２は、２オクテットであってよく、管理タイプ及び例えば短期ビーコンフレームサブタイプのようなフレームのタイプ及びサブタイプを識別することができる。他のＭＡＣヘッダフィールド１７０８は、例えば１つ又は複数のアドレスフィールド、識別情報フィールド、制御フィールド等を備えることができる。
【００５４】
一部の実施形態において、管理フレーム１７００は、フレーム本体１７１４を備えることができる。フレーム本体１７１４は、可変の数のオクテットであってよく、データ要素、制御要素あるいはパラメータ及び機能を含むことができる。本実施形態において、フレーム本体１７１４は、制限アクセスンウィンドウ（ＲＡＷ）パラメータセット（ＰＳ）情報要素（ＩＥ）１７２０を備える。
【００５５】
図１Ｆは、ＲＡＷ  ＰＳ  ＩＥ１８００の実施形態を図示する。ＲＡＷ  ＰＳ  ＩＥ１８００は、要素識別子（ＩＤ）フィールド１８０２、長さフィールド１８０６、ページインデックス（ＩＤ）フィールド１８０８、ＲＡＷ開始フィールド１８１０、ＲＡＷ終了フィールド１８１２、ＲＡＷ開始時間フィールド１８１４、ＲＡＷ期間フィールド１８１５、ページ化ＳＡＴ限定フィールド１８１６、グループ／リソース配分フィールド１８１８及びスロット定義フィールド１８２０等のフィールドを備えることができる。要素ＩＤフィールド１８０２は、要素をＲＡＷ  ＰＳ  ＩＥ１８００として識別することができる。長さフィールド１８０６は、ＲＡＷ  ＰＳ  ＩＥ１８００の長さ又はその一部の長さを定義することができる。ページＩＤフィールド１８０８は、配分されたグループの階層ＡＩＤの（階層ＡＩＤに基づく）ページインデックスを示すことができる。ＲＡＷ開始フィールド１８１０は、ＲＡＷに関連付けられた局の範囲内の最初の局のＡＩＤを示すことができる。多くの実施形態において、ＲＡＷ開始ＡＩＤ１８１０は、最初の局の最下位ビット（ＬＳＢ）を備えることができる。ＬＳＢは、最初の局のＡＩＤを他の局のＡＩＤから区分するのに十分な数のビットとすることができる。本実施形態において、最初の局は、ページＩＤフィールド１８０８に関連付けられるページ内の任意の局であってよく、ＲＡＷ開始ＡＩＤ１８１０は、最初の局のＡＩＤの１１個のＬＳＢを備えることができる。
【００５６】
ＲＡＷ終了ＡＩＤフィールド１８１２は、ＲＡＷに関連付けられた局の範囲内の最後の局のＡＩＤを示すことができる。多くの実施形態において、ＲＡＷ終了ＡＩＤ１８１２は、最後の局の最下位ビット（ＬＳＢ）を備えることができる。このＬＳＢは、ＲＡＷ  ＰＳ  ＩＥ１８００及びＲＡＷ  ＰＳ  ＩＥ１８００が存在するフレームのコンテキストにおいて、最後の局のＡＩＤを他の局のＡＩＤから区分するのに十分な数のビットとすることができる。本実施形態において、最後の局は、ページＩＤフィールド１８０８に関連付けられるページ内の任意の局であってよく、ＲＡＷ終了ＡＩＤ１８１２は、最後の局のＡＩＤの１１個のＬＳＢを備えることができる。
【００５７】
ＲＡＷ開始時間フィールド１８１４は、ビーコン伝送の終了からＲＡＷ開始時間までの時間単位（ＴＵ：time  unit）における期間を示すことができる。ＲＡＷ期間フィールド１８１５は、ＲＡＷの期間を時間単位（ＴＵ）で示すことができる。ページ化ＳＴＡ限定フィールド１８１６は、２ビットを備え、ＴＩＭビットが１に設定されているＳＴＡのみが、アップリンク（ＵＬ）伝送を実行するのを許可される場合、ビット１に１をセットする。ＲＡＷが、ＰＳポーリング／トリガフレームのように、スロット期間より短い期間でフレームを保持する場合、ビット２に１をセットする。一部の実施形態において、ビット１が設定されてない場合、ビット２は無視され得る。
【００５８】
グループ／リソース配分フィールド１８１８は、ＲＡＷの開始の際に、リソース配分のようなグループアドレスフレームを受け取るのにＳＴＡが立ち上がる必要があるかどうかを指示するのに、１に設定され得る。スロット定義フィールド１８２０は、例えばスロット期間を含むことができ、一部の実施形態では、ＲＡＷ内の伝送がスロット境界を越えるものであるかどうかに指示を含むことができる。例えばＡＰは、伝送機会（ＴＸＯＰ：transmission  opportunity）又はＴＸＯＰ内の伝送が、スロット境界にまたがって広がるべきでないか否かを指示することができる。このＴＸＯＰルールが適用される場合、ＳＴＡは、スロット境界において立ち上がる時、プローブ遅延を待たない。
【００５９】
図２は、フレームを生成、伝送、受信及び解釈するかデコードする装置の実施形態を示している。当該装置は、媒体アクセス制御（ＭＡＣ）サブレイヤロジック２０１及び物理レイヤ（ＰＨＹ）ロジック２０２に結合されたトランシーバ２００を備える。ＭＡＣサブレイヤロジック２０１は、フレームを決定することができ、物理レイヤ（ＰＨＹ）ロジック２０２は、上記フレーム又は複数のフレーム、ＭＡＣプロトコルデータユニット（ＭＰＤＵ）をプリアンブルにプリペンドすることによって、トランシーバ２００を介して伝送するＰＰＤＵを決定することができる。例えばフレームビルダは、フレームが、管理フレームであるか制御フレームであるか又はデータフレームであるかを指定するタイプフィールドと、フレームの機能を指定するサブタイプフィールドとを含むフレームを生成することができる。制御フレームは、送信準備完了（Read−To−Send）又は送信可能（Clear−To−Send）フレームを含むことができる。管理フレームは、ビーコン、プローブ要求／応答、関連付け要求／応答及び再関連付け要求／応答フレームタイプを備えることができる。データタイプフレームは、データを伝送するよう設計される。
【００６０】
多くの実施形態において、ＭＡＣサブレイヤロジック２０１は、フレーム本体内の局ＡＩＤの範囲により、管理フレームに似たビーコンフレームのようなフレームを生成するフレームビルダを備えてもよい。多くの実施形態において、局のＡＩＤの範囲は、ＡＩＤとのブロックの関連性及びサブブロックの関連性とは独立である。幾つかの実施形態において、範囲は、該範囲内の最初の局のＡＩＤ及び範囲内の最後の局のＡＩＤによって識別される。一部の実施形態において、ページＩＤ、ＲＡＷ開始ＡＩＤのＬＳＢ及びＲＡＷ終了ＡＩＤのＬＳＢが、範囲を識別することがある。例えばＡＰは、ＲＡＷ中に無線媒体にアクセスするのを許可された局のＡＩＤの範囲を含む、ＲＡＷのパラメータセットを有するビーコンを伝送することがある。その局は、ビーコンを受信して、ビーコンのフレームをデコードし、解析し、解釈して、ＲＡＷに割り当てられるＡＩＤの範囲を決定することができる。
【００６１】
ＰＨＹロジック２０２はデータユニットビルダ２０３を備えてもよい。データユニットビルダ２０３は、プリアンブルを決定して、ＲＡＷ中に無線媒体へのアクセスを許可された局のＡＩＤの範囲を含む１つ又はそれ以上のＭＰＤＵをプリペンドし、ＰＰＤＵを生成する。データユニットビルダ２０３は、プリアンブルを決定して、１つ又はそれ以上のＭＰＤＵをプリペンドし、ＰＰＤＵを生成することができる。多くの実施形態において、データユニットビルダ２０３は、宛先の通信デバイスとの対話を通して選択された通信パラメータに基づいて、プリアンブルを作成することができる。プリアンブルは、短期訓練フィールド（ＳＴＦ）及び長期訓練フィールド（ＬＴＦ）のような訓練シーケンスを備え、初期チャネル更新を受信デバイスに提供し、受信デバイスが、該受信デバイス内のイコライザによって実装される重み付け関数のための重み付け係数を更新できるようにする。
【００６２】
トランシーバ２００は、受信機２０４及び送信機２０６を備える。送信機２０６は、エンコーダ２０８と、インタリーバ２０９と、変調器２１０と、ＯＦＤＭ２１２と、ＩＦＦＴ２１４と、送信機フロントエンド２４０とのうちの１つ又は複数を備えることができる。送信機２０６のエンコーダ２０８は、ＭＡＣサブレイヤロジック２０１から伝送用に定められたデータを受信して、例えばバイナリ畳み込み符号化（ＢＣＣ：binary  convolutional  coding）、低密度パリティチェック符号化（ＬＤＰＣ）及び／又は同様のものを用いてエンコードする。インタリーバ２０９は、エンコーダ２０８からデータを受信して、該データをインタリーブして、近接するノイズビットの長いシーケンスが受信機のＢＣＣデコーダに入るのを防ぐことができる。変調器２１０は、インタリーバ２０９が実装される場合、インタリーバ２０９からデータを受信して、受信したデータブロックを、例えばデータブロックを正弦波の離散振幅の対応するセットへ、正弦波の離散位相のセットへ、あるいは正弦波の周波数に対する離散周波数シフトのセットへマッピングすることにより、選択された周波数の正弦波に加えることができる。
【００６３】
変調器２０９の出力は、直交周波数分割多重（ＯＦＤＭ）モジュール２１２に供給される。ＯＦＤＭモジュール２１２は、空間−時間ブロック符号化（ＳＴＢＣ：space−time  block  coding）モジュール２１１及びデジタルビーム形成（ＤＢＦ：digital  beamforming）モジュール２１４を備えることができる。ＳＴＢＣモジュール２１１は、変調器２０９から、１つ又は複数の空間ストリームに対応する一連のポイントを受信して、これらの空間ストリームを、多数の空間−時間ストリーム（一般にデータストリームとも呼ばれる）へと展開することができる。更なる実施形態では、このＳＴＢＣを省略してもよい。
【００６４】
ＯＦＤＭモジュール２１２は、ＯＦＤＭシンボルとして形成された変調されたデータを、複数の直交副搬送波へと加えるか、マップし、これにより、ＯＦＤＭシンボルは、副搬送波又はトーンによりエンコードされる。一部の実施形態において、ＯＦＤＭシンボルは、デジタルビーム形成（ＤＢＦ）モジュール２１４へと供給される。一般に、デジタルビーム形成は、アンテナ要素のアレイによって受信されるか、アンテナ要素のアレイから伝送される信号に対して作用する、デジタル信号処理アルゴリズムを使用する。
【００６５】
逆高速フーリエ変換（ＩＦＦＴ：Inverse  Fast  Fourier  Transform）モジュール２１５は、ＯＦＤＭシンボルに対して離散逆フーリエ変換（ＩＤＦＴ：inverse  discrete  Fourier  transform）を実行することができる。ＩＦＦＴモジュール２１５の出力は、ガード間隔（ＧＩ：guard  interval）モジュールに入ることがある。ＧＩモジュールは、シンボルに巡回拡張をプリペンドすることによってガード間隔を挿入することができる。一部の実施形態において、ＧＩモジュールは、ウィンドウ化を備えることもあり、オプションで各シンボルのエッジを平滑化して、スペクトルの減衰を改善することができる。
【００６６】
ＧＩモジュールの出力は、送信機フロントエンド２４０に入ることがある。送信機フロントエンド２４０は、電力増幅器（ＰＡ：power  amplifier）２４４を有する無線機２４２を備え、信号を増幅して、アンテナアレイ２１８による伝送用に信号を準備することができる。
【００６７】
信号は、より高い搬送周波数へとアップコンバートされるか、完全にアップコンバージョンを実行され得る。伝送前に、信号をより高い周波数にシフトすることは、実際の次元のアンテナアレイの使用を可能にする。すなわち、より高い伝送周波数により、より小さなアンテナが可能になる。したがって、アップコンバータは、変調された波形を正弦によって拡大させて、波形の中央周波数と正弦の周波数の合計の搬送周波数を有する信号を取得する。
【００６８】
トランシーバ２００は、アンテナアレイ２１８に接続されるデュプレクサ２１６も備えることができる。したがって、この実施形態では、単一のアンテナアレイが送信機と受信機の双方に使用される。伝送する際、信号は、デュプレクサ２１６を通り、アップコンバートされた情報を担持する信号でアンテナを動かす。伝送中に、デュプレクサ２１６は、伝送すべき信号が受信機２０４に入るのを防ぐ。受信する際、アンテナアレイによって受信される情報担持信号は、デュプレクサ２１６を通って、アンテナアレイから受信機２０４へ信号を配信する。デュプレクサ２１６は次いで、受信した信号が送信機２０６に入るのを防ぐ。したがって、デュプレクサ２１６はスイッチとして動作し、あるいはアンテナアレイ要素を受信機２０４及び送信機２０６へ接続する。
【００６９】
アンテナアレイ２１８は、情報担持信号を、受信機のアンテナによって受信することができる電磁エネルギの時変空間分散へと放射する。受信機は、次いで受信した信号の情報を抽出することができる。他の実施形態において、トランシーバ２００は、アンテナアレイではなく、１つ又は複数のアンテナを備えてもよく、幾つかの実施形態において、受信機２０４及び送信機２０６は、自身のアンテナ又はアンテナアレイを備えてもよい。
【００７０】
トランシーバ２００は、情報担持通信信号を受信し、復調し、復号するための受信機２０４を備えてもよい。受信機２０４は、信号を検出し、パケットの開始を検出し、搬送周波数を除去し、そして低ノイズ増幅器（ＬＮＡ：low  noise  amplifier）２５４を有する無線機２５２を介して副搬送波を増幅する、受信機フロントエンドを備えることができる。通信信号は、例えば１ＭＨｚ（メガヘルツ）の搬送波周波数において３２トーンを備えることがある。受信機２０４は、高速フーリエ変換（ＦＦＴ）モジュール２１９を備えることができる。ＦＦＴモジュール２１９は、通信信号を時間領域から周波数領域に変換することができる。
【００７１】
受信機２０４は、ＯＦＤＭモジュール２２２、復調器２２４、デインタリーバ２２５及びデコーダ２２６も備えることができ、イコライザ２５８は、ＯＦＤＭパケット用の重み付けされたデータ信号をＯＦＤＭモジュール２２２に出力することができる。ＯＦＤＭモジュール２２２は、信号情報をＯＦＤＭシンボルとして、情報担持通信信号が変調されている複数の副搬送波から抽出する。
【００７２】
ＯＦＤＭモジュール２２２は、ＤＢＦモジュール２２０及びＳＴＢＣモジュール２２１を備えることができる。受信した信号はイコライザからＤＢＦモジュール２２０へ供給される。ＤＢＦモジュール２２０は、受信信号を受信機２０４へ向けられた指向性伝送として処理するアルゴリズムを備えることができる。ＳＴＢＣモジュール２２１は、データストリームを空間−時間ストリームから空間ストリームへと変換することができる。
【００７３】
復調器２２４は空間ストリームを変調する。変調は、空間ストリームからデータを抽出して、復調された空間ストリームを作成する処理である。変調の方法は、受信した搬送信号へと情報が変調され、そのような情報を、通信信号内に含まれる伝送ベクトル（ＴＸＶＥＣＴＯＲ：transmission  vector）内に含めるのに用いられた方法に依存する。したがて、例えば変調がＢＰＳＫである場合、復調は、位相情報をバイナリシーケンスに変換する位相検出を要する。変調は、デインタリーバ２２５に情報のビットのシーケンスを提供する。
【００７４】
デインタリーバ２２５は、情報のビットのシーケンスをデインタリーブすることができる。例えばデインタリーバ２２５は、ビットのシーケンスをメモリ内の列に格納し、ビットをメモリの行から除去又は出力して、情報のビットをデインタリーブすることができる。デコーダ２２６は、変調器２２４からのデインタリーブされたデータをデコードして、デコードされた情報、すなわちＭＰＤＵをＭＡＣサブレイヤロジック２０１に伝送する。
【００７５】
当業者には、トランシーバが、図２には図示されていない様々な追加の機能を備えてもよいこと、また受信機２０４及び送信機２０６は、１つのトランシーバとしてパッケージせずに別個のデバイスとすることが可能であることが認識されよう。例えばトランシーバの実施形態は、動的ランダムアクセスメモリ（ＤＲＡＭ）、基準発振器、フィルタ回路、同期回路、インタリーバ及びデインタリーバ、場合によっては多段周波数転換及び多段増幅等を備えることがある。さらに、図２に示される機能の一部を統合してもよい。例えばデジタルビーム形成を、直交周波数分割多重と統合してもよい。
【００７６】
ＭＡＣサブレイヤロジック２１０は、１つ又は複数のＭＰＤＵをデコード又は解析して、１つ又は複数のフレームの特定のタイプを決定し、ＭＰＤＵに含まれる１つ又は複数の情報要素を識別することができる。例えば情報要素は、ＴＩＭ情報要素及び／又はＲＡＭ  ＰＳ情報要素を備えることができる。ＭＡＣサブレイヤロジック２０１は、情報要素をデコード又は解析して、例えばＡＰがＭＡＣサブレイヤロジック２０１用にバッファされたデータを有するか否か、並びにＭＡＣサブレイヤ２０１が、ＲＡＷ  ＰＳ情報要素で定義されたＲＡＷに割り当てられた局のＡＩＤの範囲に関連付けられるか否かを判断することができる。
【００７７】
図３Ａは、図１に関連して説明した通信デバイス１０１０のようなアクセスポイントが、制限アクセスウィンドウ（ＲＡＷ）に割り当てるべき局の範囲を決定し、該割り当てを局に通信するフローチャート３００の実施形態を示す。アクセスポイントは、ＴＩＭビットマップ内で識別されるブロックにおける最初及び／又は最後の局の位置に関わらず、ＲＡＷに割り当てるべき局の範囲内の最初の局のＡＩＤを決定し、ＲＡＷに割り当てるべき局の範囲内の最後の局を識別して、局の範囲を決定してＲＡＷグループを識別する（要素３０５）。言い換えると、範囲内の最初の局は、ページのブロック内の最初の局である必要はなく、最後の局は、ページ内の局のブロック内の最後の局である必要はない。例えばＲＡＷグループに割り当てられる範囲内の最初の局は、ページの第１のブロック内の任意の局であってよく、範囲の最後の局は、第１の局のＡＩＤよりも大きいＡＩＤを有する、第１のブロック内の任意の他の局であるか、その位置に関わらずページの第２のブロック内の局のうちのいずれかであってよい。
【００７８】
最初の局及び最後の局のＡＩＤを決定した後、アクセスポイントは、ＡＩＤに関連付けられたページ識別子並びに範囲内の最初の局と最後の局のＡＩＤの最下位ビットを決定することができる。幾つかの実施形態において、ページＩＤは、範囲内の最初及び最後の局のＡＩＤの２つの最上位ビットとすることができる。一部の実施形態において、ＲＡＷ開始ＡＩＤは、最初の局のＡＩＤの１１個の最下位ビットであってよく、ＲＡＷ終了ＡＩＤは、範囲内の最後の局のＡＩＤの１１個の最下位ビットであってよい（要素３１０）。
【００７９】
ページＩＤ、ＲＡＷ開始ＡＩＤ及びＲＡＷ終了ＡＩＤに基づいて、アクセスポイントは、アクセスポイントに関連付けられた局へ伝送するビーコンのような、ＲＡＷパラメータセット（ＰＳ）情報要素（ＩＥ）を備えるフレームを生成することができる（要素３１５）。一部の実施形態において、ＲＡＷ  ＰＳ  ＩＥは、ＲＡＷ開始時間及びＲＡＷ期間を備え、ＲＡＷに割り当てられる局についてＲＡＷを記述し得る。
【００８０】
アクセスポイントは、ＲＡＷ  ＰＳ  ＩＥを有するビーコンを、ターゲットビーコン伝送時間（ＴＢＴＴ：target  beacon  transmission  time）に、アクセスポイントが関連付けられる局に伝送して、ＲＡＷ割り当てをＲＡＷグループに伝送する（要素３２０）。一部の実施形態において、ビーコンは、アクセスポイントがデータをバッファリングしている局を識別するため、トラフィック指示マップビットマップ情報要素内にトラフィック指示マップビットマップも備えることもある。
【００８１】
図３Ｂは、図１に関連して説明した通信デバイス１０３０のような局が、制限アクセスウィンドウに割り当てられた局の範囲内にあるかどうかを判断するフローチャート３３０の実施形態を示す。局は、ターゲットビーコン伝送時間（ＴＢＴＴ）に立ち上がり、該局が関連付けられるアクセスポイントからビーコンを受信することがある（要素３３５）。一部の実施形態において、ビーコンは、トラフィック指示マップビットマップ情報要素内のトラフィック指示マップビットマップと、ＲＡＷパラメータセット（ＰＳ）情報要素（ＩＥ）を備えることができる。ＲＡＷパラメータセット（ＰＳ）情報要素（ＩＥ）は、ＲＡＷ開始ＡＩＤ、ＲＡＷ終了ＡＩＤ、ＲＡＷ開始時間及びＲＡＷ  ＰＳ  ＩＥにおけるＲＡＷ期間を備えることができる。一部の実施形態において、ＲＡＷ開始ＡＩＤ及びＲＡＷ終了ＡＩＤの最上位ビットは、ＲＡＷ  ＰＳ  ＩＥ内にページ識別子として含まれることがある。そのような実施形態において、ＲＡＷ開始ＡＩＤ及びＲＡＷ終了ＡＩＤは、ＲＡＷ  ＰＳ  ＩＥ内に、対応する局それぞれの最下位ビットとして含まれることがある。更なる実施形態において、ＡＰとの先行する通信において局は、この情報の一部を受信することがある。
【００８２】
多くの実施形態において、局は、ＲＡＷ  ＰＳ  ＩＥをデコードしてページＩＤを決定し、局のＡＩＤがページ上にあるかどうかを判断し、局のＡＩＤがＲＡＷ  ＰＳ  ＩＥに関連付けられたページ上にある場合、局は、ＲＡＷ開始ＡＩＤ及びＲＡＷ終了ＡＩＤをデコードすることができる（要素３４０）。一方、局が、ＲＡＷ  ＰＳ  ＩＥのページＩＤに関連付けられたページ上にない場合、局は、該局がＲＡＷに関連付けられていないと判断して、ビーコンのデコードを終了する。
【００８３】
局がページＩＤによって指示されるページ上にある場合、次いで局は、該局のＡＩＤを、ＲＡＷ開始ＡＩＤ及びＲＡＷ終了ＡＩＤと比較して、局のＡＩＤが、ＲＡＷに関連付けられるＡＩＤの範囲内にあるかどうかを判断することができる（要素３４５）。局のＡＩＤが、ＲＡＷに関連付けられた範囲内にない場合、局は、該局がＲＡＷに関連付けられていないと判断し、ビーコンのデコードを終了する。一方、局のＡＩＤが、ＲＡＷに関連付けられた範囲内にある場合、該局は、ＲＡＷ開始時間及びＲＡＷ期間をデコードして、ＲＡＷの構造を決定することができる。幾つかの実施形態において、局は、該局のメモリ内に格納された関数、例えばＲＡＷ期間を、ＲＡＷに割り当てられた局の数で割る関数及び／又は範囲内の局のＡＩＤのオフセットをスロット期間で乗算する関数等のような関数に基づいて、局に対するスロット割り当てを決定することもできる。
【００８４】
他の実施形態において、局は、該局のＡＩＤを、ページＩＤとＲＡＷ開始ＡＩＤとの組み合わせと比較してもよい。局のＡＩＤがページＩＤとＲＡＷ開始ＡＩＤとの組み合わせと等しい又はそれ以上である場合、局は、局のＡＩＤを、ページＩＤとＲＡＷ終了ＡＩＤとの組み合わせと比較し、局のＡＩＤがページＩＤとＲＡＷ終了ＡＩＤとの組み合わせと等しい又はそれ以下であるかどうかを判断する。局のＡＩＤがページＩＤとＲＡＷ終了ＡＩＤとの組み合わせと等しいかそれ以下である場合、局のＡＩＤをＲＡＷに割り当ててよい。一方、局のＡＩＤがページＩＤとＲＡＷ開始ＡＩＤとの組み合わせより小さいか、局のＡＩＤがページＩＤとＲＡＷ終了ＡＩＤとの組み合わせより大きい場合、局は、該局がＲＡＷに割り当てられないと判断してよい。一部の実施形態において、局は、ビーコンのデコードを終了し得る。他の実施形態では、局は、ビーコンからの他の情報を判断するためビーコンのデコードを継続してもよい。
【００８５】
図４Ａ〜図４Ｂは、図１Ｃ〜図１Ｆに図示されるビーコンフレームのような管理フレームとの通信を伝送、受信及び解釈するかデコードするフローチャート４００及び４５０の実施形態を図示する。図４Ａを参照すると、フローチャート４００は、通信デバイスのＭＡＣサブレイヤロジックから、制限アクセスウィンドウに割り当てられる局の範囲を含むビーコンのようなフレームを受信することで開始し得る。ここで、局の範囲は、制限アクセスウィンドウに割り当てられた局のＡＩＤの１つ又は複数の部分ブロックを含み得る。一部の実施形態において、ビーコンはＴＩＭ情報要素を備えることがある。
【００８６】
通信デバイスのＭＡＣサブレイヤロジックは、フレームを、通信デバイスに関連付けられた局に伝送するため、管理フレームとして生成して、該フレームをＭＰＤＵとしてＰＨＹロジックに渡す。ＰＨＹロジックは、ＭＰＤＵを局に伝送可能なパケットへ変換する。ＰＨＹロジックは、プリアンブルを生成して、ＭＡＣサブレイヤロジックからのＭＰＤＵのうちの１つ又は複数をプリペンドし、伝送用にＰＰＤＵを形成することができる（要素４０５）。ＰＰＤＵは次いで、図２の送信機２０６又は図１のトランシーバ１０２０、１０４０のような物理レイヤデバイスを介して伝送され、これによりＰＰＤＵは、通信信号に変換され得る（要素４１０）。送信機は次いで、アンテナを介してこの通信信号を伝送することができる（要素４１５）。
【００８７】
図４Ｂを参照すると、フローチャート４５０は、図２の受信機２０４のような局の受信機が、アンテナアレイ２１８のアンテナ要素のような１つ又は複数のアンテナを介して通信信号を受信することで開始する（要素４５５）。受信機は、プリアンブルにおいて記述される処理に従って、この通信信号を１つ又は複数のＭＰＤＵに変換することができる（要素４６０）。より具体的には、受信した信号は、１つ又は複数のアンテナから、ＤＢＦ２２０のようなＤＢＦに供給される。ＤＢＦは、受信した信号を、受信機へ向けられた指向性伝送として処理する。ＤＢＦの出力は、ＯＦＤＭ２２２のようなＯＦＤＭに供給される。ＯＦＤＭは、情報担持信号が変調される複数の副搬送波から信号情報を抽出する。次いで復調器２２４のような復調器は、信号情報を、例えばＢＰＳＫ、１６−ＱＡＭ、６４−ＱＡＭ、２５６−ＱＡＭ、ＱＰＳＫ又はＳＱＰＳＫを介して復調する。デコーダ２２６のようなデコーダは、復調器からの信号情報を、例えばＢＣＣ又はＬＤＰＣを介してデコードして、１つ又は複数のＭＰＤＵを抽出し（要素４６０）、１つ又は複数のＭＰＤＵを、ＭＡＣサブレイヤロジック２０１のようなＭＡＣサブレイヤロジックに伝送する（要素４６５）。
【００８８】
ＭＡＣサブレイヤロジックは、ＭＰＤＵ内のＲＡＷ  ＰＳ  ＩＥを有する管理フレームをデコードすることができる（要素４７０）。例えばＭＡＣサブレイヤロジックは、ＲＡＷ  ＰＳ  ＩＥを解析して、ページＩＤフィールド、ＲＡＷ開始ＡＩＤフィールド及び可能であればＲＡＷ終了ＡＩＤフィールドを決定し、局のＡＩＤが、ＲＡＷ  ＰＳ  ＩＥで指示されるＡＩＤのページ及び範囲にあるかどうかを判断する。
【００８９】
以下の例は、更なる実施形態に関する。１つの例は、制限アクセスウィンドウの割り当てを伝送する装置を備える。該装置は、ＲＡＷ割り当ての範囲を定義するフレームを生成する媒体アクセス制御ロジックを備える。上記フレームは、ページ識別子と、ＲＡＷ割り当ての範囲内の最初の局の識別情報と、ＲＡＷ割り当ての範囲内の最後の局の識別情報とを含み、ＲＡＷ割り当ての範囲内の最初の局及びＲＡＷ割り当ての範囲内の最後の局の選択は、上記ページ識別子に関連付けられるページのブロック内における上記最初の局と最後の局の位置とは独立である。当該装置は、フレームにプリアンブルをプリペンドして、該フレームを伝送する物理レイヤロジックも備える。
【００９０】
一部の実施形態において、上記装置は、プリアンブルによってプリペンドされたフレームを伝送するアンテナを更に備えてもよい。一部の実施形態において、媒体アクセス制御ロジックは、ＲＡＷパラメータセット（ＰＳ）情報要素（ＩＥ）を有するフレームを生成するロジックを備え、ＲＡＷ  ＰＳ  ＩＥは、ＲＡＷ開始ＡＩＤフィールド及びＲＡＷ終了ＡＩＤフィールドを備える。一部の実施形態において、媒体アクセス制御ロジックは、ＲＡＷ割り当ての範囲内の最初の局のＡＩＤの最下位ビットを備えるＲＡＷ開始ＡＩＤフィールドを有するフレームを生成するロジックを備える。一部の実施形態において、媒体アクセス制御ロジックは、ＲＡＷ割り当ての範囲内の最後の局のＡＩＤの最下位ビットを含むＲＡＷ終了ＡＩＤフィールドを有するフレームを生成するロジックを備える。
【００９１】
別の実施形態は、少なくとも１つのコンピュータプロセッサによって実行されると、該少なくとも１つのコンピュータプロセッサが方法を実装するのを可能にするよう動作可能なコンピュータ実行可能命令を備えた１つ又は複数の有形のコンピュータ読取可能な非一時記憶媒体を備える。上記方法は、ＲＡＷ割り当ての範囲を定義するフレームを生成するステップを含み、上記フレームは、ページ識別子と、ＲＡＷ割り当ての範囲内の最初の局の識別情報と、ＲＡＷ割り当ての範囲内の最後の局の識別情報とを含み、ＲＡＷ割り当ての範囲内の最初の局及びＲＡＷ割り当ての範囲内の最後の局の選択は、上記ページ識別子に関連付けられるページのブロック内における上記最初の局と最後の局の位置とは独立である。
【００９２】
一部の実施形態において、フレームを生成するステップは、ＲＡＷパラメータセット（ＰＳ）情報要素（ＩＥ）を有するフレームを生成することを備え、ＲＡＷ  ＰＳ  ＩＥは、ＲＡＷ開始ＡＩＤフィールド及びＲＡＷ終了ＡＩＤフィールドを備える。一部の実施形態において、ＲＡＷパラメータセット（ＰＳ）情報要素（ＩＥ）を有するフレームを生成することは、ＲＡＷ割り当ての範囲内の最初の局のＡＩＤの最下位ビットを備えるＲＡＷ開始ＡＩＤフィールドを有するフレームを生成することを備える。一部の実施形態において、ＲＡＷパラメータセット（ＰＳ）情報要素（ＩＥ）を有するフレームを生成することは、ＲＡＷ割り当ての範囲内の最後の局のＡＩＤの最下位ビットを含むＲＡＷ終了ＡＩＤフィールドを有するフレームを生成することを備える。
【００９３】
別の実施形態は、制限アクセスウィンドウ（ＲＡＷ）割り当てを伝送する方法を備える。当該方法は、第１の通信デバイスによって、ＲＡＷ割り当ての範囲を定義するフレームを生成するステップを含み、フレームは、ページ識別子と、ＲＡＷ割り当ての範囲内の最初の局の識別情報と、ＲＡＷ割り当ての範囲内の最後の局の識別情報とを含み、ＲＡＷ割り当ての範囲内の最初の局及びＲＡＷ割り当ての範囲内の最後の局の選択は、上記ページ識別子に関連付けられるページのブロック内における上記最初の局と最後の局の位置とは独立であり、当該方法は、第１の通信デバイスによってフレームを伝送するステップを含む。
【００９４】
一部の実施形態において、第１の通信デバイスによって、フレームを生成するステップは、ＲＡＷパラメータセット（ＰＳ）情報要素（ＩＥ）を有するフレームを生成することを備え、ＲＡＷ  ＰＳ  ＩＥは、ＲＡＷ開始ＡＩＤフィールド及びＲＡＷ終了ＡＩＤフィールドを備える。一部の実施形態において、ＲＡＷパラメータセット（ＰＳ）情報要素（ＩＥ）を有するフレームを生成することは、ＲＡＷ割り当ての範囲内の最初の局のＡＩＤの最下位ビットを備えるＲＡＷ開始ＡＩＤフィールドを有するフレームを生成することを備える。一部の実施形態において、ＲＡＷパラメータセット（ＰＳ）情報要素（ＩＥ）を有するフレームを生成することは、ＲＡＷ割り当ての範囲内の最後の局のＡＩＤの最下位ビットを含むＲＡＷ終了ＡＩＤフィールドを有するフレームを生成することを備える。
【００９５】
別の実施形態は、制限アクセスウィンドウ（ＲＡＷ）割り当てを伝送するシステムを備える。当該システムは、プロセッサと、該プロセッサに結合されたメモリと、ＲＡＷ割り当ての範囲を定義するフレームを生成する手段を備え、該フレームは、ページ識別子と、ＲＡＷ割り当ての範囲内の最初の局の識別情報と、ＲＡＷ割り当ての範囲内の最後の局の識別情報とを含み、ＲＡＷ割り当ての範囲内の最初の局及びＲＡＷ割り当ての範囲内の最後の局の選択は、上記ページ識別子に関連付けられるページのブロック内における上記最初の局と最後の局の位置とは独立であり、当該装置はまた、フレームを生成する上記手段に結合される無線機と、該無線機に結合されてフレームを伝送する１つ又は複数のアンテナとを備える。
【００９６】
一部の実施形態において、フレームは、ＲＡＷパラメータセット（ＰＳ）情報要素（ＩＥ）を含み、該ＲＡＷ  ＰＳ  ＩＥは、ＲＡＷ開始ＡＩＤフィールド及びＲＡＷ終了ＡＩＤフィールドを含む。一部の実施形態において、ＲＡＷ開始ＡＩＤフィールドは、ＲＡＷ割り当ての範囲内の最初の局のＡＩＤの最下位ビットを含む。一部の実施形態において、ＲＡＷ終了ＡＩＤフィールドは、ＲＡＷ割り当ての範囲内の最後の局のＡＩＤの最下位ビットを含む。
【００９７】
別の実施形態は、制限アクセスウィンドウ（ＲＡＷ）割り当てを決定する装置を備える。当該装置は、メモリと、該メモリに結合されたロジックであって、ＲＡＷ割り当てを含むフレームを受信し、ページ識別子の値、ＲＡＷ開始関連付け識別子（ＡＩＤ）の値及びＲＡＷ終了ＡＩＤの値を決定し、ＲＡＷ割り当てが当該装置に関連付けられたＡＩＤを備えるかどうかを、上記値に基づいて判断するロジックとを備える。
【００９８】
一部の実施形態において、上記ロジックは、装置に関連付けられたＡＩＤの最上位ビットを、ページ識別子の値と比較して、ＲＡＷ割り当てが、装置のＡＩＤに関連付けられたページのためのものであるかどうかを判断するように構成される。一部の実施形態において、上記ロジックは、装置に関連付けられたＡＩＤの最下位ビットをＲＡＷ開始ＡＩＤの値と比較して、装置のＡＩＤがＲＡＷ割り当て内にあるかどうかを判断するように構成される。一部の実施形態において、上記ロジックは、装置に関連付けられたＡＩＤの最下位ビットをＲＡＷ終了ＡＩＤの値と比較して、装置のＡＩＤがＲＡＷ割り当て内にあるかどうかを判断するように構成される。
【００９９】
別の実施形態は、少なくとも１つのコンピュータプロセッサによって実行されると、該少なくとも１つのコンピュータプロセッサが方法を実装するのを可能にするように動作可能なコンピュータ実行可能命令を備えた１つ又は複数の有形のコンピュータ読取可能な非一時記憶媒体を備える。上記方法は、局によって、ＲＡＷ割り当てを含むフレームを受信するステップと、局によって、ページ識別子の値、ＲＡＷ開始関連付け識別子（ＡＩＤ）の値及びＲＡＷ終了ＡＩＤの値をフレームから決定するステップと、ＲＡＷ割り当てが局に関連付けられたＡＩＤを備えるかどうかを上記値に基づいて判断するステップとを含む。
【０１００】
一部の実施形態において、ＲＡＷ割り当てが局に関連付けられたＡＩＤを備えるかどうかを上記値に基づいて判断するステップは、局のＡＩＤがページＩＤの値に関連付けられるかどうかを判断することを含む。一部の実施形態において、ＲＡＷ割り当てが局に関連付けられたＡＩＤを備えるかどうかを上記値に基づいて判断するステップは、局のＡＩＤの最下位ビットがＲＡＷ開始ＡＩＤの値以上であるかどうかを判断することを含む。一部の実施形態において、ＲＡＷ割り当てが局に関連付けられたＡＩＤを備えるかどうかを上記値に基づいて判断するステップは、局のＡＩＤの最下位ビットがＲＡＷ終了ＡＩＤの値以下であるかどうかを判断することを含む。
【０１０１】
別の実施形態は、制限アクセスウィンドウ（ＲＡＷ）割り当てを決定するシステムを備える。当該システムは、無線機と、１つ又は複数のアンテナと、該無線機と１つ又は複数のアンテナに結合されたロジックであって、ＲＡＷ割り当てを含むフレームを受信し、ページ識別子の値、ＲＡＷ開始関連付け識別子（ＡＩＤ）の値及びＲＡＷ終了ＡＩＤの値を決定し、ＲＡＷ割り当てが当該システムに関連付けられたＡＩＤを備えるかどうかを、上記値に基づいて判断するロジックとを備える。
【０１０２】
一部の実施形態において、当該システムは更に、上記値を格納する動的ランダムアクセスメモリを備えることがある。一部の実施形態において、上記ロジックは、ＲＡＷ割り当て内の開始ＡＩＤを、ページ識別子の値とＲＡＷ開始ＡＩＤの値との組み合わせに基づいて決定し、ＲＡＷ割り当て内の最後のＡＩＤをページ識別子の値とＲＡＷ終了ＡＩＤの値との組み合わせに基づいて決定するように構成される。一部の実施形態において、ページ識別子の値は、開始ＡＩＤ及び最後のＡＩＤの最初の２つの最上位ビットであり、ＲＡＷ開始ＡＩＤの値は、開始ＡＩＤの１１個の最下位ビットを備え、ＲＡＷ終了ＡＩＤ値は、ＲＡＷ割り当ての範囲内の最後のＡＩＤの１１個の最下位ビットを備える。
【０１０３】
別の実施形態は、制限アクセスウィンドウ（ＲＡＷ）割り当てを決定する方法を備える。当該方法は、局によって、ＲＡＷ割り当てを含むフレームを受信するステップと、局によって、ページ識別子の値、ＲＡＷ開始関連付け識別子（ＡＩＤ）の値及びＲＡＷ終了ＡＩＤの値をフレームから決定するステップと、ＲＡＷ割り当てが局に関連付けられたＡＩＤを備えるかどうかを上記値に基づいて判断するステップとを含む。
【０１０４】
一部の実施形態において、ＲＡＷ割り当てが局に関連付けられたＡＩＤを備えるかどうかを上記値に基づいて判断するステップは、局のＡＩＤがページＩＤの値に関連付けられるかどうかを判断することを含む。一部の実施形態において、ＲＡＷ割り当てが局に関連付けられたＡＩＤを備えるかどうかを上記値に基づいて判断するステップは、局のＡＩＤの最下位ビットがＲＡＷ開始ＡＩＤの値以上であるかどうかを判断することを含む。一部の実施形態において、ＲＡＷ割り当てが局に関連付けられたＡＩＤを備えるかどうかを上記値に基づいて判断するステップは、局のＡＩＤの最下位ビットがＲＡＷ終了ＡＩＤの値以下であるかどうかを判断することを含む。
【０１０５】
別の実施形態は、制限アクセスウィンドウ（ＲＡＷ）割り当てを伝送する装置を備える。当該装置は、ＲＡＷ割り当ての範囲を定義するフレームを生成する手段を備え、該フレームは、ページ識別子と、ＲＡＷ割り当ての範囲内の最初の局の識別情報と、ＲＡＷ割り当ての範囲内の最後の局の識別情報とを含み、ＲＡＷ割り当ての範囲内の最初の局及びＲＡＷ割り当ての範囲内の最後の局の選択は、ページ識別子に関連付けられたページのブロック内における上記最初の局と最後の局の位置とは独立であり、当該装置はまた、フレームを伝送する手段を備える。
【０１０６】
一部の実施形態において、フレームは、ＲＡＷパラメータセット（ＰＳ）情報要素（ＩＥ）を含み、該ＲＡＷ  ＰＳ  ＩＥは、ＲＡＷ開始関連付け識別子（ＡＩＤ）フィールド及びＲＡＷ終了ＡＩＤフィールドを含む。一部の実施形態において、ＲＡＷ開始ＡＩＤフィールドは、ＲＡＷ割り当ての範囲内の最初の局のＡＩＤの最下位ビットを含む。一部の実施形態において、ＲＡＷ終了ＡＩＤフィールドは、ＲＡＷ割り当ての範囲内の最後の局のＡＩＤの最下位ビットを含む。
【０１０７】
別の実施形態は、制限アクセスウィンドウ（ＲＡＷ）割り当てを決定する装置を備える。当該装置は、ＲＡＷ割り当てを備えるフレームを受信する手段と、フレームから、ページ識別子の値、ＲＡＷ開始関連付け識別子（ＡＩＤ）の値及びＲＡＷ終了ＡＩＤの値を決定する手段と、ＲＡＷ割り当てが局に関連付けられたＡＩＤを備えるかどうかを、上記値に基づいて判断する手段とを備える。
【０１０８】
一部の実施形態において、ＲＡＷ割り当てが局に関連付けられたＡＩＤを備えるかどうかを上記値に基づいて判断する手段は、局のＡＩＤがページＩＤの値に関連付けられるかどうかを判断する手段を含む。一部の実施形態において、ＲＡＷ割り当てが局に関連付けられたＡＩＤを備えるかどうかを上記値に基づいて判断するステップは、局のＡＩＤの最下位ビットがＲＡＷ開始ＡＩＤの値以上であるかどうかを判断する手段を含む。一部の実施形態において、ＲＡＷ割り当てが局に関連付けられたＡＩＤを備えるかどうかを上記値に基づいて判断するステップは、局のＡＩＤの最下位ビットがＲＡＷ終了ＡＩＤの値以下であるかどうかを判断する手段を含む。
【０１０９】
別の実施形態は、制限アクセスウィンドウ（ＲＡＷ）割り当てを伝送するシステムを備える。当該システムは、プロセッサと、該プロセッサに結合されたメモリと、ＲＡＷ割り当ての範囲を定義するフレームを生成する手段を備え、該フレームは、ページ識別子と、ＲＡＷ割り当ての範囲内の最初の局の識別情報と、ＲＡＷ割り当ての範囲内の最後の局の識別情報とを含み、ＲＡＷ割り当ての範囲内の最初の局及びＲＡＷ割り当ての範囲内の最後の局の選択は、上記ページ識別子に関連付けられるページのブロック内における上記最初の局及び最後の局の位置とは独立であり、当該装置はまた、フレームを生成する上記手段に結合される無線機と、該無線機に結合されてフレームを伝送する１つ又は複数のアンテナとを備える。
【０１１０】
一部の実施形態において、フレームは、ＲＡＷパラメータセット（ＰＳ）情報要素（ＩＥ）を含み、該ＲＡＷ  ＰＳ  ＩＥは、ＲＡＷ開始関連付け識別子（ＡＩＤ）フィールド及びＲＡＷ終了ＡＩＤフィールドを含む。一部の実施形態において、ＲＡＷ開始ＡＩＤフィールドは、ＲＡＷ割り当ての範囲内の最初の局のＡＩＤの最下位ビットを含む。一部の実施形態において、ＲＡＷ終了ＡＩＤフィールドは、ＲＡＷ割り当ての範囲内の最後の局のＡＩＤの最下位ビットを含む。
【０１１１】
一部の実施形態では、上記及び特許請求の範囲において記載される特徴の一部又は全てが１つの実施形態で実装されてもよい。例えば代替的な特徴を、実装すべき代替を決定するロジック又は選択可能なプリファレンスとともに実施形態において代替として実装してもよい。相互に排他的でない特徴を有する一部の実施形態は、そのような特徴の１つ又は複数をアクティブにするか非アクティブにするロジック又は選択可能なプリファレンスを含んでもよい。例えば一部の特徴は、製造時に、回路経路又はトランジスタを含めるか除去することによって選択され得る。更なる特徴は、展開時又は展開後に、ディップスイッチ等のようなロジック又は選択可能プリファレンスにより選択されることもある。ユーザは後に、ソフトウェアプリファレンス、電子フューズ（e−fuse）等のような選択可能なプリファレンスを介して、更なる特徴を選択することも可能である。
【０１１２】
複数の実施形態が、１つ又は複数の有利な効果を有することがある。例えば一部の実施形態は、標準のＭＡＣヘッダサイズに対して低減されたＭＡＣヘッダサイズを提示することがある。更なる実施形態では、より効果的な伝送のための小さなパケットサイズや、通信の送信側と受信側双方におけるデータトラフィックの減少に起因して、電力消費がより少ないことや、トラフィックの競合の減少、パケットの送信又は受信を待つ遅延の減少等のような１つ又は複数の有利な効果を含み得る。
【０１１３】
別の実施形態は、図１〜図４を参照して説明したシステム及び方法を実装するためのプログラム製品として実装される。一部の実施形態は、全体がハードウェアの実施形態、全体がソフトウェアの実施形態又はハードウェア要素とソフトウェア要素の双方を含む実施形態の形式をとることができる。ある実施形態はソフトウェアで実装される。このようなソフトウェアは、ファームウェア、常駐のソフトウェア、マイクロコード等を含むが、これらには限定されない。
【０１１４】
さらに、実施形態は、コンピュータ又は任意の命令実行システムによって又はこれらに関連して使用するためのプログラムコードを提供する、コンピュータ使用可能又はコンピュータ読取可能媒体からアクセス可能なプログラム製品（又はマシンアクセス可能な製品）の形式をとることも可能である。この説明の目的で、プログラム使用可能又はコンピュータ読取可能媒体は、命令実行システム、装置又はデバイスによって又はこれらに関連して使用するためのプログラムを含み、格納し、通信し、伝播し又は伝送することができる任意の装置とすることができる。
【０１１５】
媒体は、電気、磁気、光、電磁気、赤外線又は半導体システム（あるいは装置又はデバイス）とすることができる。コンピュータ読取可能な媒体の例は、半導体又は固体メモリ、磁気テープ、取外し可能コンピュータディスケット、ランダムアクセスメモリ（ＲＡＭ）、読み取り専用メモリ（ＲＯＭ）、剛性磁気ディスク及び光ディスクを含む。光ディスクの現在の例は、コンパクトディスク−読み取り専用メモリ（ＣＤ−ＲＯＭ）、コンパクトディスク−読み取り／書き込み（ＣＤ−ＲＷ）及びＤＶＤを含む。
【０１１６】
プログラムコードを格納及び／又は実行するのに適したデータ処理システムは、システムバスを通してメモリ要素に直接又は間接的に結合される少なくとも１つのプロセッサを含むことになる。メモリ要素は、プログラムコードの実際の実行の間に用いられるローカルメモリと、大容量ストレージと、実行中に大容量ストレージからコードを取り出さなければいけない回数を低減させるために少なくとも一部のプログラムコードの一時的なストレージを提供するキャッシュメモリを含むことができる。
【０１１７】
上述のロジックは、集積回路チップ用の設計の一部とすることができる。チップ設計は、グラフィカルコンピュータプログラミング言語で作成され、（ディスク、テープ、物理的なハードドライブ又はストレージアクセスネットワーク内のような仮想ハードドライブのような）コンピュータ記憶媒体に記憶される。設計者が、チップを組み立てないか、チップを組み立てるのに使用されるフォトリングラフィーマスクを組み立てない場合、設計者は、結果として得られる設計物を、物理的な手段によって（例えば設計物を格納した記憶媒体のコピーを提供することによって）又は電気的に（例えばインターネットを通じて）そのようなエンティティに直接又は間接的に伝送する。格納された設計物は、次いで組み立てのために適切なフォーマット（例えばＧＤＳＩＩ）に変換される。
【０１１８】
結果として得られる集積回路チップは、組み立て者によって、未加工のウェハー形式で（すなわち、複数のパッケージされていないチップを有する単一のウェハーとして）、むき出しのダイス（die）として又はパッケージされた形式で分配される可能性がある。後者の場合、チップは、（マザーボードに取り付けられるリードを有するプラスチックのキャリア又は他の高レベルのキャリアのような）シングルチップパッケージで、あるいは（（表面上の相互接続と埋設型の相互接続のいずれか又は双方を有する、セラミックのキャリアのような）マルチチップパッケージで取り付けられる。いずれの場合も、チップは、マザーボートのような中間製品又は最終製品のいずれかの一部として、他のチップ、別個の回路要素及び／又は他の信号処理デバイスと統合される。
【図１】
0006276253.tif 000002
【図１Ａ】
0006276253.tif 000003
【図１Ｂ】
0006276253.tif 000004
【図１Ｃ】
0006276253.tif 000005
【図１Ｄ】
0006276253.tif 000006
【図１Ｅ】
0006276253.tif 000007
【図１Ｆ】
0006276253.tif 000008
【図２】
0006276253.tif 000009
【図３Ａ】
0006276253.tif 000010
【図３Ｂ】
0006276253.tif 000011
【図４Ａ】
0006276253.tif 000012
【図４Ｂ】
0006276253.tif 000013